(57)【要約】  カバレッジ拡張シナリオにおいて送信電力を決定するための方法および装置は、カバレッジ拡張シナリオにおけるランダムアクセスプロセスにおいてpreamble系列の送信電力を決定するために、従来技術が解決策を欠いていた課題を解決する。本方法は、端末によって、各カバレッジ拡張レベルで信号を送信するために使用される送信電力を決定するために使用される設定情報を取得するステップと、カバレッジ拡張シナリオにおいて信号を送信するために使用される送信電力を決定するために、端末によって、取得された設定情報に従って、端末によってその時点で使用されているカバレッジ拡張レベルで信号を送信するために使用される送信電力を決定するステップとを含む。
2017507569.tif 000002
【特許請求の範囲】
【請求項１】
端末であって、前記端末が、
各カバレッジ拡張レベルで信号を送信するために使用される送信電力を決定するために使用される設定情報を取得するように構成される、設定情報取得モジュールと、
前記設定情報に従って、前記端末によってその時点で使用されているカバレッジ拡張レベルで前記信号を送信するために使用される送信電力を決定するように構成される、送信電力決定モジュールと、
を備える、端末。
【請求項２】
前記設定情報が、前記端末とネットワーク側との間で一致させられる、または前記設定情報が、ネットワーク側で設定され、次いで前記端末に送信される、請求項1に記載の端末。
【請求項３】
前記設定情報が、各カバレッジ拡張レベルで前記信号を送信するために要する繰り返し回数の数を含む場合、前記送信電力決定モジュールが、
前記設定情報に含まれる前記繰り返し回数の数に従って、前記端末によってその時点で使用されている前記カバレッジ拡張レベルで前記信号を送信するために要する繰り返し回数の数を決定し、前記決定した繰り返し回数の数に従って、前記端末によってその時点で使用されている前記カバレッジ拡張レベルで前記信号を送信するために使用される前記送信電力を決定する、
ように特に構成される、請求項1または2に記載の端末。
【請求項４】
前記送信電力決定モジュールが、
繰り返し回数の数と電力補償値との間の対応に従って、前記端末によってその時点で使用されている前記カバレッジ拡張レベルで前記信号を送信するために要する前記繰り返し回数の数に対応する電力補償値を決定し、前記決定した電力補償値に従って、前記端末によってその時点で使用されている前記カバレッジ拡張レベルで前記信号を送信するために使用される前記送信電力を決定する、
ように特に構成される、請求項3に記載の端末。
【請求項５】
前記設定情報が、各カバレッジ拡張レベルに対応する電力補償値を含む場合、前記送信電力決定モジュールが、
前記設定情報に含まれる前記電力補償値に従って、前記端末によってその時点で使用されている前記カバレッジ拡張レベルに対応する電力補償値を決定し、前記決定した電力補償値に従って、前記端末によってその時点で使用されている前記カバレッジ拡張レベルで前記信号を送信するために使用される前記送信電力を決定する、
ように特に構成される、請求項1または2に記載の端末。
【請求項６】
前記送信電力決定モジュールが、以下の式：
P＝min｛PMAX，PREAMBLE＿RECEIVED＿TARGET＿POWER＿CI＋PL｝
に従って、前記端末によってその時点で使用されている前記カバレッジ拡張レベルで前記信号を送信するために使用される前記送信電力を決定し、
Pが、前記端末によって前記信号を送信する前記送信電力であり、PMAXが、前記端末の最大送信電力であり、PREAMBLE＿RECEIVED＿TARGET＿POWER＿CIが、前記端末によってその時点で使用されている前記カバレッジ拡張レベルに対応する前記電力補償値に従って決定される目標受信電力であり、PLが、経路損失である、
請求項4から5のいずれか一項に記載の端末。
【請求項７】
前記送信電力決定モジュールが、以下の式：
PREAMBLE＿RECEIVED＿TARGET＿POWER＿CI＝preambleInitialReceivedTargetPower＋DELTA＿PREAMBLE−GRi、
または、
PREAMBLE＿RECEIVED＿TARGET＿POWER＿CI＝preambleInitialReceivedTargetPower＋DELTA＿PREAMBLE−GRi＋（PREAMBLE＿TRANSMISSION＿COUNTER＿CI−1）＊powerRampingStep＿CI
に従って前記目標受信電力を決定し、
GRiが、前記電力補償値であり、preambleInitialReceivedTargetPowerが、初期目標受信電力であり、DELTA＿PREAMBLEが、前記端末によって送信される前記信号のフォーマットに対応するオフセットであり、PREAMBLE＿TRANSMISSION＿COUNTER＿CIが、前記端末によってその時点で使用されている前記カバレッジ拡張レベルでの信号送信試行回数であり、powerRampingStep＿CIが、前記端末によってその時点で使用されている前記カバレッジ拡張レベルでの各信号送信試行における電力上昇幅である、
請求項6に記載の端末。
【請求項８】
前記送信電力決定モジュールによって、前記目標受信電力を前記決定するステップが、DELTA＿PREAMBLEが0であることを決定するステップを含む、請求項7に記載の端末。
【請求項９】
前記送信電力決定モジュールが、
前記設定情報が、各カバレッジ拡張レベルに対応する最大信号送信試行回数を含む場合、前記設定情報から、前記端末によってその時点で使用されている前記カバレッジ拡張レベルでの最大信号送信試行回数を決定する、または、
前記設定情報が、すべての前記カバレッジ拡張レベルに対応する最大信号送信試行回数の合計を含む場合、前記設定情報に含まれる試行回数の前記合計に従って各カバレッジ拡張レベルでの最大信号送信試行回数を決定し、前記端末によってその時点で使用されている前記カバレッジ拡張レベルに従って、前記端末によってその時点で使用されている前記カバレッジ拡張レベルでの最大信号送信試行回数を決定する、
ように特に構成される、請求項7または8に記載の端末。
【請求項１０】
前記送信電力決定モジュールが、
前記設定情報が、各カバレッジ拡張レベルに対応する各信号送信試行における電力上昇幅を含む場合、前記設定情報から、前記端末によってその時点で使用されている前記カバレッジ拡張レベルでの各信号送信試行における前記電力上昇幅を決定する、または、
前記設定情報が、各信号送信試行におけるすべての前記カバレッジ拡張レベルに対応する電力上昇幅の合計を含む場合、前記設定情報から、前記端末によってその時点で使用されている前記カバレッジ拡張レベルに対応する各試行において前記信号がN回にわたって繰り返し送信された後の電力上昇幅の合計を決定し、前記決定された電力上昇幅の合計に従って、前記端末によってその時点で使用されている前記カバレッジ拡張レベルでの各信号送信試行における前記電力上昇幅を決定する、
ように特に構成される、請求項7から9のいずれか一項に記載の端末。
【請求項１１】
前記端末が前記その時点で使用されているカバレッジ拡張レベルを切り替えた後、前記送信電力決定モジュールが、
前記切り替え前に前記端末によって使用される前記カバレッジ拡張レベルに対応する前記電力補償値と前記切り替え後に使用されるカバレッジ拡張レベルに対応する電力補償値とに従って、前記切り替え後に使用される前記カバレッジ拡張レベルで前記信号を送信するために使用される送信電力を決定する
ようにさらに構成され、
前記切り替え後に前記端末によって使用される前記カバレッジ拡張レベルが、前記切り替え前に前記端末によって使用される前記カバレッジ拡張レベルよりも高い、
請求項7から10のいずれか一項に記載の端末。
【請求項１２】
前記送信電力決定モジュールが、以下の式：
【数１】
2017507569.tif 000017
に従って、前記切り替え後に使用される前記カバレッジ拡張レベルで前記信号を送信するために使用される前記送信電力を決定し、
Piが、前記切り替え後に使用される前記カバレッジ拡張レベルで前記信号を送信するために前記端末によって使用される前記送信電力であり、Pi−1が、前記切り替え前に使用される前記カバレッジ拡張レベルでの最後の信号送信試行において前記端末によって使用される送信電力であり、PMAXが、前記端末の前記最大送信電力であり、GRiが、前記切り替え後の前記端末の前記カバレッジ拡張レベルに対応する前記電力補償値であり、GRi−1が、前記切り替え前の前記端末の前記カバレッジ拡張レベルに対応する前記電力補償値である、
請求項11に記載の端末。
【請求項１３】
前記送信電力決定モジュールが、以下の式：
【数２】
2017507569.tif 000018
に従って、前記切り替え後に使用される前記カバレッジ拡張レベルで前記信号を送信するために使用される前記送信電力を決定し、
Piが、前記切り替え後に使用される前記カバレッジ拡張レベルで前記信号を送信するために前記端末によって使用される前記送信電力であり、Pi−1が、前記切り替え前に使用される前記カバレッジ拡張レベルでの最後の信号送信試行において前記端末によって使用される送信電力であり、PMAXが、前記端末の前記最大送信電力であり、GRiが、前記切り替え後の前記端末の前記カバレッジ拡張レベルに対応する前記電力補償値であり、GRi−1が、前記切り替え前の前記端末の前記カバレッジ拡張レベルに対応する前記電力補償値であり、powerRampingStep＿CI＿iが、前記切り替え後に使用される前記カバレッジ拡張レベルでの各信号送信試行における前記端末の電力上昇幅である、
請求項11に記載の端末。
【請求項１４】
前記送信電力決定モジュールが、以下の式：
P′＝Pi＋（PREAMBLE＿TRANSMISSION＿COUNTER＿CI＿i−1）＊powerRampingStep＿CI＿i
に従って、前記切り替え後に使用される前記カバレッジ拡張レベルで前記信号を送信するために使用される、その時点で決定されている送信電力が前記端末の前記最大送信電力に到達するまでの前記送信電力を決定し、
P′が、前記信号を送信するために前記端末によって決定される現在の送信電力であり、PREAMBLE＿TRANSMISSION＿COUNTER＿CI＿iが、前記切り替え後に使用される前記カバレッジ拡張レベルでの、前記端末によってなされる最大信号送信試行回数である、
請求項12または13に記載の端末。
【請求項１５】
PREAMBLE＿TRANSMISSION＿COUNTER＿CI＿iの値が、［1，．．．，Ni］の範囲内にあり、Niが、前記切り替え後に使用される前記カバレッジ拡張レベルでの、前記端末によってなされる前記最大信号送信試行回数である、または、
PREAMBLE＿TRANSMISSION＿COUNTER＿CI＿iの値が、［N′＋1，．．．，N′＋Ni］の範囲内にあり、N′が、前記カバレッジ拡張レベルの切り替え前に前記端末によってなされる最大信号送信試行回数の合計であり、Niが、前記切り替え後に使用される前記カバレッジ拡張レベルでの、前記端末によってなされる前記最大信号送信試行回数である、
請求項14に記載の端末。
【請求項１６】
前記送信電力決定モジュールが、
前記その時点で決定されている送信電力が、前記端末の前記最大送信電力である場合に、ネットワーク側が前記端末によって送信された信号をなんら受信していないことが決定されたならば、前記端末によって使用される前記カバレッジ拡張レベルを切り替える
ように特に構成される、請求項11から15のいずれか一項に記載の端末。
【請求項１７】
前記送信電力決定モジュールが、
前記設定情報に従って前記電力補償値が取得できない場合、前記信号を送信するために前記端末によって使用される前記送信電力が、前記端末の前記最大送信電力であると決定する
ようにさらに構成される、請求項4から15のいずれか一項に記載の端末。
【請求項１８】
ネットワーク側の装置であって、前記ネットワーク側の装置が、
各カバレッジ拡張レベルで信号を送信するために使用される送信電力を決定するために使用される設定情報を設定するように構成される、設定モジュールと、
前記ネットワーク側の装置によってサービスを受ける端末に前記設定情報を送信するように構成され、その結果、前記端末が、前記設定情報に従って、前記端末によってその時点で使用されているカバレッジ拡張レベルで前記信号を送信するために使用される送信電力を決定する、送信モジュールと、
を備える、ネットワーク側の装置。
【請求項１９】
前記設定情報が、以下の情報：
各カバレッジ拡張レベルに対応する電力補償値、
各カバレッジ拡張レベルで前記信号を送信するために要する繰り返し回数の数、
各カバレッジ拡張レベルでの最大信号送信試行回数、
すべての前記カバレッジ拡張レベルでの最大信号送信試行回数の合計、
各カバレッジ拡張レベルに対応する各信号送信試行における電力上昇幅、または、
各カバレッジ拡張レベルに対応する各試行における、前記信号がN回にわたって繰り返し送信された後の電力上昇幅の合計
のうちの少なくとも1つを含む、請求項18に記載のネットワーク側の装置。
【請求項２０】
カバレッジ拡張シナリオにおいて送信電力を決定するための方法であって、前記方法が、
端末によって、各カバレッジ拡張レベルで信号を送信するために使用される送信電力を決定するために使用される設定情報を取得するステップと、
前記端末によって、前記設定情報に従って、前記端末によってその時点で使用されているカバレッジ拡張レベルで前記信号を送信するために使用される送信電力を決定するステップと、
を含む、方法。
【請求項２１】
前記設定情報が、前記端末とネットワーク側との間で一致させられる、または前記設定情報が、ネットワーク側で設定され、前記端末に送信される、請求項20に記載の方法。
【請求項２２】
前記設定情報が、各カバレッジ拡張レベルで前記信号を送信するために要する繰り返し回数の数を含む場合、前記端末によって、前記設定情報に従って、前記端末によってその時点で使用されているカバレッジ拡張レベルで前記信号を送信するために使用される送信電力を前記決定するステップが、
前記端末によって、前記設定情報に含まれる前記繰り返し回数の数に従って、前記端末によってその時点で使用されている前記カバレッジ拡張レベルで前記信号を送信するために要する繰り返し回数の数を決定するステップと、
前記端末によって、前記決定した繰り返し回数の数に従って、前記端末によってその時点で使用されている前記カバレッジ拡張レベルで前記信号を送信するために使用される前記送信電力を決定するステップと、
を含む、請求項20または21に記載の方法。
【請求項２３】
前記端末によって、前記設定情報に従って、前記端末によってその時点で使用されているカバレッジ拡張レベルで前記信号を送信するために使用される送信電力を前記決定するステップが、
前記端末によって、繰り返し回数の数と電力補償値との間の対応に従って、前記端末によってその時点で使用されている前記カバレッジ拡張レベルで前記信号を送信するために要する前記繰り返し回数の数に対応する電力補償値を決定するステップと、
前記端末によって、前記決定した電力補償値に従って、前記端末によってその時点で使用されている前記カバレッジ拡張レベルで前記信号を送信するために使用される前記送信電力を決定するステップと、
を含む、請求項22に記載の方法。
【請求項２４】
前記設定情報が、各カバレッジ拡張レベルに対応する電力補償値を含む場合、前記端末によって、前記設定情報に従って、前記端末によってその時点で使用されているカバレッジ拡張レベルで前記信号を送信するために使用される送信電力を前記決定するステップが、
前記端末によって、前記設定情報に含まれる前記電力補償値に従って、前記端末によってその時点で使用されている前記カバレッジ拡張レベルに対応する電力補償値を決定するステップと、
前記端末によって、前記決定した電力補償値に従って、前記端末によってその時点で使用されている前記カバレッジ拡張レベルで前記信号を送信するために使用される前記送信電力を決定するステップと、
を含む、請求項20または21に記載の方法。
【請求項２５】
前記端末が、以下の式：
P＝min｛PMAX，PREAMBLE＿RECEIVED＿TARGET＿POWER＿CI＋PL｝
に従って、前記端末によってその時点で使用されている前記カバレッジ拡張レベルで前記信号を送信するために使用される前記送信電力を決定し、
Pが、前記端末によって前記信号を送信する前記送信電力であり、PMAXが、前記端末の最大送信電力であり、PREAMBLE＿RECEIVED＿TARGET＿POWER＿CIが、前記端末によってその時点で使用されている前記カバレッジ拡張レベルに対応する前記電力補償値に従って前記端末によって決定される目標受信電力であり、PLが、経路損失である、
請求項23から24のいずれか一項に記載の方法。
【請求項２６】
前記端末が、以下の式：
PREAMBLE＿RECEIVED＿TARGET＿POWER＿CI＝preambleInitialReceivedTargetPower＋DELTA＿PREAMBLE−GRi、または、
PREAMBLE＿RECEIVED＿TARGET＿POWER＿CI＝preambleInitialReceivedTargetPower＋DELTA＿PREAMBLE−GRi＋（PREAMBLE＿TRANSMISSION＿COUNTER＿CI−1）＊powerRampingStep＿CI
に従って前記目標受信電力を決定し、
GRiが、前記電力補償値であり、preambleInitialReceivedTargetPowerが、初期目標受信電力であり、DELTA＿PREAMBLEが、前記端末によって送信される前記信号のフォーマットに対応するオフセットであり、PREAMBLE＿TRANSMISSION＿COUNTER＿CIが、前記端末によってその時点で使用されている前記カバレッジ拡張レベルでの、前記端末によってなされる信号送信試行回数であり、powerRampingStep＿CIが、前記端末によってその時点で使用されている前記カバレッジ拡張レベルでの各信号送信試行における前記端末の電力上昇幅である、
請求項25に記載の方法。
【請求項２７】
前記端末によって、前記目標受信電力を前記決定するステップが、前記端末によって、DELTA＿PREAMBLEが0であることを決定するステップを含む、請求項26に記載の方法。
【請求項２８】
前記端末によって、前記端末によってその時点で使用されている前記カバレッジ拡張レベルでの前記信号送信試行回数を前記決定するステップが、
前記設定情報が、各カバレッジ拡張レベルに対応する最大信号送信試行回数を含む場合、前記端末によって、前記設定情報から、前記端末によってその時点で使用されている前記カバレッジ拡張レベルでの最大信号送信試行回数を決定するステップ、または、
前記設定情報が、すべての前記カバレッジ拡張レベルに対応する最大信号送信試行回数の合計を含む場合、前記端末によって、前記設定情報に含まれる前記試行回数の合計に従って前記端末の各カバレッジ拡張レベルでの最大信号送信試行回数を決定するステップと、前記端末によってその時点で使用されている前記カバレッジ拡張レベルに従って、前記端末によってその時点で使用されている前記カバレッジ拡張レベルでの最大信号送信試行回数を決定するステップと、
を含む、請求項26または27に記載の方法。
【請求項２９】
前記端末によって、前記端末によってその時点で使用されている前記カバレッジ拡張レベルでの各信号送信試行における前記電力上昇幅を前記決定するステップが、
前記設定情報が、各カバレッジ拡張レベルに対応する各信号送信試行における電力上昇幅を含む場合、前記端末によって、前記設定情報から、前記端末によってその時点で使用されている前記カバレッジ拡張レベルでの各信号送信試行における前記電力上昇幅を決定するステップ、または、
前記設定情報が、各信号送信試行におけるすべての前記カバレッジ拡張レベルに対応する電力上昇幅の合計を含む場合、前記端末によって、前記設定情報から、前記端末によってその時点で使用されている前記カバレッジ拡張レベルに対応する各試行において前記信号がN回にわたって繰り返し送信された後の電力上昇幅の合計を決定するステップと、前記決定した電力上昇幅の合計に従って、前記端末によってその時点で使用されている前記カバレッジ拡張レベルでの各信号送信試行における前記電力上昇幅を決定するステップと、
を含む、請求項26から28のいずれか一項に記載の方法。
【請求項３０】
前記端末が前記その時点で使用されている前記カバレッジ拡張レベルを切り替えた後、本方法が、
前記端末によって、前記切り替え前に使用される前記カバレッジ拡張レベルに対応する前記電力補償値と前記切り替え後に使用されるカバレッジ拡張レベルに対応する電力補償値とに従って、前記切り替え後に使用される前記カバレッジ拡張レベルで前記信号を送信するために使用される送信電力を決定するステップ
をさらに含み、
前記切り替え後に前記端末によって使用される前記カバレッジ拡張レベルが、前記切り替え前に前記端末によって使用される前記カバレッジ拡張レベルよりも高い、請求項26から29のいずれか一項に記載の方法。
【請求項３１】
前記端末が、以下の式：
【数３】
2017507569.tif 000019
に従って、前記切り替え後に使用される前記カバレッジ拡張レベルで前記信号を送信するために使用される前記送信電力を決定し、
Piが、前記切り替え後に使用される前記カバレッジ拡張レベルで前記信号を送信するために前記端末によって使用される前記送信電力であり、Pi−1が、前記切り替え前に使用される前記カバレッジ拡張レベルでの最後の信号送信試行において前記端末によって使用される送信電力であり、PMAXが、前記端末の前記最大送信電力であり、GRiが、前記切り替え後の前記端末の前記カバレッジ拡張レベルに対応する前記電力補償値であり、GRi−1が、前記切り替え前の前記端末の前記カバレッジ拡張レベルに対応する前記電力補償値である、
請求項30に記載の方法。
【請求項３２】
前記端末が、以下の式：
【数４】
2017507569.tif 000020
に従って、前記切り替え後に使用される前記カバレッジ拡張レベルで前記信号を送信するために使用される前記送信電力を決定し、
Piが、前記切り替え後に使用される前記カバレッジ拡張レベルで前記信号を送信するために前記端末によって使用される前記送信電力であり、Pi−1が、前記切り替え前に使用される前記カバレッジ拡張レベルでの最後の信号送信試行において前記端末によって使用される送信電力であり、PMAXが、前記端末の前記最大送信電力であり、GRiが、前記切り替え後の前記端末の前記カバレッジ拡張レベルに対応する前記電力補償値であり、GRi−1が、前記切り替え前の前記端末の前記カバレッジ拡張レベルに対応する前記電力補償値であり、powerRampingStep＿CI＿iが、前記切り替え後に使用される前記カバレッジ拡張レベルでの各信号送信試行における前記端末の電力上昇幅である、
請求項30に記載の方法。
【請求項３３】
前記端末が、以下の式：
P’＝Pi＋（PREAMBLE＿TRANSMISSION＿COUNTER＿CI＿i−1）＊powerRampingStep＿CI＿i
に従って、前記切り替え後に使用される前記カバレッジ拡張レベルで前記信号を送信するために使用される、その時点で決定されている送信電力が前記端末の前記最大送信電力に到達するまでの前記送信電力を決定し、
P’が、前記信号を送信するために前記端末によって決定される現在の送信電力であり、PREAMBLE＿TRANSMISSION＿COUNTER＿CI＿iが、前記切り替え後に使用される前記カバレッジ拡張レベルでの、前記端末によってなされる最大信号送信試行回数である、
請求項31または32に記載の方法。
【請求項３４】
PREAMBLE＿TRANSMISSION＿COUNTER＿CI＿iの値が、［1，．．．，Ni］の範囲内にあり、Niが、前記切り替え後に使用される前記カバレッジ拡張レベルでの、前記端末によってなされる前記最大信号送信試行回数である、または、
前記PREAMBLE＿TRANSMISSION＿COUNTER＿CI＿iの値が、［N’＋1，．．．，N’＋Ni］の範囲内にあり、N’が、前記カバレッジ拡張レベルの切り替え前に前記端末によってなされる最大信号送信試行回数の合計であり、Niが、前記切り替え後に使用される前記カバレッジ拡張レベルでの、前記端末によってなされる前記最大信号送信試行回数である、
請求項33に記載の方法。
【請求項３５】
前記端末が、以下のステップ：
前記その時点で決定されている送信電力が、前記端末の前記最大送信電力である場合に、前記ネットワーク側が前記端末によって送信された信号をなんら受信していないと前記端末が決定したならば、前記端末によって使用される前記カバレッジ拡張レベルを前記端末によって切り替えるステップ
に従って前記使用されるカバレッジ拡張レベルを切り替える、請求項30から34のいずれか一項に記載の方法。
【請求項３６】
前記端末によって、前記設定情報に従って、前記端末によってその時点で使用されているカバレッジ拡張レベルで前記信号を送信するために使用される送信電力を前記決定するステップが、
前記設定情報に従って前記電力補償値が取得できない場合、前記信号を送信するために前記端末によって使用される前記送信電力が、前記端末の前記最大送信電力であると前記端末によって決定するステップ
を含む、請求項23から34のいずれか一項に記載の方法。
【請求項３７】
カバレッジ拡張シナリオにおける送信電力を決定するための方法であって、前記方法が、
ネットワーク側で、各カバレッジ拡張レベルで信号を送信するために使用される送信電力を決定するために使用される設定情報を設定するステップと、
前記ネットワーク側で、前記ネットワーク側によってサービスを受ける端末に前記設定情報を送信し、その結果、前記端末が、前記設定情報に従って、前記端末によってその時点で使用されているカバレッジ拡張レベルで前記信号を送信するために使用される送信電力を決定する、ステップと、
を含む、方法。
【請求項３８】
前記設定情報が、以下の情報：
各カバレッジ拡張レベルに対応する電力補償値、
各カバレッジ拡張レベルで前記信号を送信するために要する繰り返し回数の数、
各カバレッジ拡張レベルでの最大信号送信試行回数、
すべての前記カバレッジ拡張レベルでの最大信号送信試行回数の合計、
各カバレッジ拡張レベルに対応する各信号送信試行における電力上昇幅、または、
各カバレッジ拡張レベルに対応する各試行における、前記信号がN回にわたって繰り返し送信された後の電力上昇幅の合計
のうちの少なくとも1つを含む、請求項37に記載の方法。
【発明の詳細な説明】
【技術分野】
【０００１】
本発明は、無線通信技術の分野に関し、具体的には、カバレッジ拡張シナリオにおいて送信電力を決定するための方法および装置に関する。
【背景技術】
【０００２】
モノのインターネットとは、物質世界の情報を取得するために、感知、計算、実行および通信がある程度まで可能な様々な装置を配備することによる、またネットワーク上で情報を伝送、調整および処理することによる、人と物との間またはある物と別の物との間における相互接続のネットワークを言う。モノのインターネットは、スマートグリッド、インテリジェント農業、インテリジェント交通、および環境チェックなどの様々な実施態様に適用され得る。マシンツーマシン（Machine to Machine、M2M）通信は、モノのインターネットのアプリケーションを載せるために移動通信ネットワークをどのように使用するかを研究するために、標準化団体−第3世代パートナーシッププロジェクト（The 3rd Generation Partnership Project、3GPP）によって提案された技術かつ標準化概念であり、マシンタイプコミュニケーション（Machine Type Communication、MTC）デバイスが導入されたために移動通信ネットワーク上で行われなくてはならなくなった拡張または最適化を研究するために、特別なプロジェクトチームが設立されている。
【０００３】
現在、3GPPロングタームエボリューション（Long Term Evolution、LTE）プロジェクトでは、MTCの特殊なアプリケーションシナリオのためのカバレッジ拡張の研究課題が提案されており、これはすなわち、MTCデバイスが地下などに配置されている場合に比較的大きな経路損失（Pathloss、略してPL）を有するMTCデバイス用にカバレッジ拡張サポートを提供し、その結果、デバイスがネットワークにアクセスしてサービスを得ることができるというものである。信号繰り返しは、カバレッジ拡張を実装するための方法のうちの1つである。様々なMTCデバイスが、様々な環境に配置されており、様々なカバレッジ拡張の程度を必要とする。信号繰り返しを例として用いると、異なるMTCデバイスは、異なる信号繰り返し回数を要する。
【０００４】
既存の3GPPプロトコルによれば、ランダムアクセスプロセスにおいて、ランダムアクセスプリアンブル系列（preamble系列）を送信する電力は、次式により決定される：
PPRACH＝min｛PCMAX，c（i），PREAMBLE＿RECEIVED＿TARGET＿POWER＋PLc｝
ここで、PCMAX，c（i）は、端末の最大送信電力であり、PLcは、端末の経路損失であり、PREAMBLE＿RECEIVED＿TARGET＿POWERは、基地局の目標受信電力であって、PREAMBLE＿RECEIVED＿TARGET＿POWER＝preambleInitialReceivedTargetPower＋DELTA＿PREAMBLE＋（PREAMBLE＿TRANSMISSION＿COUNTER−1）＊powerRampingStepであり、ここで、preambleInitialReceivedTargetPowerは、基地局の初期目標受信電力であり、DELTA＿PREAMBLEは、preamble系列のフォーマット（format）に対応する（表1に示されるような）オフセットであり、PREAMBLE＿TRANSMISSION＿COUNTERは、端末による、preamble系列を送信するための試行回数であり、powerRampingStepは、端末による、preamble系列を送信するための各試行における電力上昇幅である。
【０００５】
【表１】
2017507569.tif 000003
【０００６】
上述の式から、端末による、preamble系列を送信する送信電力が、経路損失を完全に補償することがわかる。つまり、理想的なケースでは、端末は、PREAMBLE＿RECEIVED＿TARGET＋PLcでpreamble系列を送信する。チャネル損失PLcを経た後、上記系列は、PREAMBLE＿RECEIVED＿TARGET＿POWERの電力で基地局に到達する。電力を上昇させなければ、上記系列は、preambleInitialReceivedTargetPowerの電力で基地局に到達する。
【０００７】
しかしながら、カバレッジ拡張シナリオでは、信号が経る経路損失PLcが比較的大きいため、PREAMBLE＿RECEIVED＿TARGET＿POWER＋PLcは、端末の最大送信電力PCMAX，c（i）よりも遙かに大きい。したがって、以下のケース、すなわち、端末が最大送信電力でpreamble系列を送信したとしても、基地局の受信要件を満たすことができないというケースが起こり得る。このケースでは、例えばpreamble系列を繰り返し送信することによって、preamble系列に対してカバレッジ拡張を行う必要がある。カバレッジ拡張シナリオにおいてpreamble系列を送信する電力をどのようにして決定するかが、解決すべき喫緊の課題となる。
【０００８】
要約すると、現在、カバレッジ拡張シナリオにおいて、ランダムアクセスプロセスでpreamble系列を送信する電力を決定するための解決策がない。
【発明の概要】
【課題を解決するための手段】
【０００９】
本発明の実施形態は、カバレッジ拡張シナリオにおいて信号を送信するために使用される送信電力を決定するために、カバレッジ拡張シナリオにおいて送信電力を決定するための方法および装置を提供する。
【００１０】
第1の実施態様によれば、端末が提供され、端末が、
各カバレッジ拡張レベルで信号を送信するために使用される送信電力を決定するために使用される設定情報を取得するように構成される、設定情報取得モジュールと、
設定情報に従って、端末によってその時点で使用されているカバレッジ拡張レベルで信号を送信するために使用される送信電力を決定するように構成される、送信電力決定モジュールと、
を含む。
【００１１】
第1の実施態様に関連して、第1の可能な実施方式では、設定情報が、端末とネットワーク側との間で一致させられる、または設定情報が、ネットワーク側で設定され、次いで端末に送信される。
【００１２】
第1の実施態様または第1の実施態様の第1の可能な実施方式に関連して、第2の可能な実施方式では、設定情報が、各カバレッジ拡張レベルで信号を送信するために要する繰り返し回数の数を含む場合、送信電力決定モジュールが、
設定情報に含まれる繰り返し回数の数に従って、端末によってその時点で使用されているカバレッジ拡張レベルで信号を送信するために要する繰り返し回数の数を決定し、
決定された繰り返し回数の数に従って、端末によってその時点で使用されているカバレッジ拡張レベルで信号を送信するために使用される送信電力を決定する
ように特に構成される。
【００１３】
第1の実施態様の第2の可能な実施方式に関連して、第3の可能な実施方式では、送信電力決定モジュールが、
繰り返し回数の数と電力補償値との間の対応に従って、端末によってその時点で使用されているカバレッジ拡張レベルで信号を送信するために要する繰り返し回数の数に対応する電力補償値を決定し、決定された電力補償値に従って、端末によってその時点で使用されているカバレッジ拡張レベルで信号を送信するために使用される送信電力を決定する
ように特に構成される。
【００１４】
第1の実施態様または第1の実施態様の第1の可能な実施方式に関連して、第4の可能な実施方式では、設定情報が、各カバレッジ拡張レベルに対応する電力補償値を含む場合、送信電力決定モジュールが、
設定情報に含まれる電力補償値に従って、端末によってその時点で使用されているカバレッジ拡張レベルに対応する電力補償値を決定し、決定された電力補償値に従って、端末によってその時点で使用されているカバレッジ拡張レベルで信号を送信するために使用される送信電力を決定する
ように特に構成される。
【００１５】
第1の実施態様の第3の可能な実施方式または第1の実施態様の第4の可能な実施方式に関連して、第5の可能な実施方式では、送信電力決定モジュールが、以下の式：
P＝min｛PMAX，PREAMBLE＿RECEIVED＿TARGET＿POWER＿CI＋PL｝
に従って、端末によってその時点で使用されているカバレッジ拡張レベルで信号を送信するために使用される送信電力を決定し、
ここで、Pは、端末によって信号を送信する送信電力であり、PMAXは、端末の最大送信電力であり、PREAMBLE＿RECEIVED＿TARGET＿POWER＿CIは、端末によってその時点で使用されているカバレッジ拡張レベルに対応する電力補償値に従って決定される目標受信電力であり、PLは、経路損失である。
【００１６】
第1の実施態様の第5の可能な実施方式に関連して、第6の可能な実施方式では、送信電力決定モジュールが、以下の式：
PREAMBLE＿RECEIVED＿TARGET＿POWER＿CI＝preambleInitialReceivedTargetPower＋DELTA＿PREAMBLE−GRi、または、
PREAMBLE＿RECEIVED＿TARGET＿POWER＿CI＝preambleInitialReceivedTargetPower＋DELTA＿PREAMBLE−GRi＋（PREAMBLE＿TRANSMISSION＿COUNTER＿CI−1）＊powerRampingStep＿CI
に従って目標受信電力を決定し、
ここで、GRiは、電力補償値であり、preambleInitialReceivedTargetPowerは、初期目標受信電力であり、DELTA＿PREAMBLEは、端末によって送信される信号のフォーマットに対応するオフセットであり、PREAMBLE＿TRANSMISSION＿COUNTER＿CIは、端末によってその時点で使用されているカバレッジ拡張レベルでの信号送信試行回数であり、powerRampingStep＿CIは、端末によってその時点で使用されているカバレッジ拡張レベルでの各信号送信試行における電力上昇幅である。
【００１７】
第1の実施態様の第6の可能な実施方式に関連して、第7の可能な実施方式では、送信電力決定モジュールによって、目標受信電力を決定することが、DELTA＿PREAMBLEの値が0であることを決定することを含む。
【００１８】
第1の実施態様の第6の可能な実施方式または第1の実施態様の第7の可能な実施方式に関連して、第8の可能な実施方式では、送信電力決定モジュールが、
設定情報が、各カバレッジ拡張レベルに対応する最大信号送信試行回数を含む場合、設定情報から、端末によってその時点で使用されているカバレッジ拡張レベルでの最大信号送信試行回数を決定する、または、
設定情報が、すべてのカバレッジ拡張レベルに対応する最大信号送信試行回数の合計を含む場合、設定情報に含まれる試行回数の合計に従って各カバレッジ拡張レベルでの最大信号送信試行回数を決定し、端末によってその時点で使用されているカバレッジ拡張レベルに従って、端末によってその時点で使用されているカバレッジ拡張レベルでの最大信号送信試行回数を決定する
ように特に構成される。
【００１９】
第1の実施態様の第6の可能な実施方式または第1の実施態様の第7の可能な実施方式または第1の実施態様の第8の可能な実施方式に関連して、第9の可能な実施方式では、送信電力決定モジュールが、
設定情報が、各カバレッジ拡張レベルに対応する各信号送信試行における電力上昇幅を含む場合、設定情報から、端末によってその時点で使用されているカバレッジ拡張レベルでの各信号送信試行における電力上昇幅を決定する、または、
設定情報が、各カバレッジ拡張レベルに対応する各試行において信号がN回にわたって繰り返し送信された後の電力上昇幅の合計を含む場合、設定情報から、端末によってその時点で使用されているカバレッジ拡張レベルに対応する各試行において信号がN回にわたって繰り返し送信された後の電力上昇幅の合計を決定し、決定された電力上昇幅の合計に従って、端末によってその時点で使用されているカバレッジ拡張レベルでの各信号送信試行における電力上昇幅を決定する
ように特に構成される。
【００２０】
第1の実施態様の第6の可能な実施方式または第1の実施態様の第7の可能な実施方式または第1の実施態様の第8の可能な実施方式または第1の実施態様の第9の可能な実施方式に関連して、第10の可能な実施方式では、端末がその時点で使用されているカバレッジ拡張レベルを切り替えた後、送信電力決定モジュールが、
切り替え前に端末によって使用されるカバレッジ拡張レベルに対応する電力補償値と切り替え後に使用されるカバレッジ拡張レベルに対応する電力補償値とに従って、切り替え後に使用されるカバレッジ拡張レベルで信号を送信するために使用される送信電力を決定する
ようにさらに構成され、ここで、切り替え後に端末によって使用されるカバレッジ拡張レベルが、切り替え前に端末によって使用されるカバレッジ拡張レベルよりも高い。
【００２１】
第1の実施態様の第10の可能な実施方式に関連して、第11の可能な実施方式では、送信電力決定モジュールが、以下の式：
【数１】
2017507569.tif 000004
に従って、切り替え後に使用されるカバレッジ拡張レベルで信号を送信するために使用される送信電力を決定し、
ここで、Piは、切り替え後に使用されるカバレッジ拡張レベルで信号を送信するために端末によって使用される送信電力であり、Pi−1は、切り替え前に使用されるカバレッジ拡張レベルでの最後の信号送信試行において端末によって使用される送信電力であり、PMAXは、端末の最大送信電力であり、GRiは、切り替え後の端末のカバレッジ拡張レベルに対応する電力補償値であり、GRi−1は、切り替え前の端末のカバレッジ拡張レベルに対応する電力補償値である。
【００２２】
第1の実施態様の第10の可能な実施方式に関連して、第12の可能な実施方式では、送信電力決定モジュールが、以下の式：
【数２】
2017507569.tif 000005
に従って、切り替え後に使用されるカバレッジ拡張レベルで信号を送信するために使用される送信電力を決定し、
ここで、Piは、切り替え後に使用されるカバレッジ拡張レベルで信号を送信するために端末によって使用される送信電力であり、Pi−1は、切り替え前に使用されるカバレッジ拡張レベルでの最後の信号送信試行において端末によって使用される送信電力であり、PMAXは、端末の最大送信電力であり、GRiは、切り替え後の端末のカバレッジ拡張レベルに対応する電力補償値であり、GRi−1は、切り替え前の端末のカバレッジ拡張レベルに対応する電力補償値であり、powerRampingStep＿CI＿iは、切り替え後に使用されるカバレッジ拡張レベルでの各信号送信試行における端末の電力上昇幅である。
【００２３】
第1の実施態様の第10の可能な実施方式または第1の実施態様の第11の可能な実施方式に関連して、第13の可能な実施方式では、送信電力決定モジュールが、以下の式：
P’＝Pi＋（PREAMBLE＿TRANSMISSION＿COUNTER＿CI＿i−1）＊powerRampingStep＿CI＿i
に従って、切り替え後に使用されるカバレッジ拡張レベルで信号を送信するために使用される、その時点で決定されている送信電力が端末の最大送信電力に到達するまでの送信電力を決定し、
ここで、P’は、信号を送信するために端末によって決定される現在の送信電力であり、PREAMBLE＿TRANSMISSION＿COUNTER＿CI＿iは、切り替え後に使用されるカバレッジ拡張レベルでの、端末によってなされる最大信号送信試行回数である。
【００２４】
第1の実施態様の第13の可能な実施方式に関連して、第14の可能な実施方式では、PREAMBLE＿TRANSMISSION＿COUNTER＿CI＿iの値が、［1，．．．，Ni］の範囲内にあり、Niが、切り替え後に使用されるカバレッジ拡張レベルでの、端末によってなされる最大信号送信試行回数である、または、
PREAMBLE＿TRANSMISSION＿COUNTER＿CI＿iの値が、［N’＋1，．．．，N’＋Ni］の範囲内にあり、N’が、カバレッジ拡張レベルの切り替え前に端末によってなされる最大信号送信試行回数の合計であり、Niが、切り替え後に使用されるカバレッジ拡張レベルでの、端末によってなされる最大信号送信試行回数である。
【００２５】
第1の実施態様の第10から第14の可能な実施方式のうちの任意の実施方式に関連して、第15の可能な実施方式では、送信電力決定モジュールが、
その時点で決定されている送信電力が、端末の最大送信電力である場合に、ネットワーク側が端末によって送信された信号をなんら受信していないことが決定されたならば、端末によって使用されるカバレッジ拡張レベルを切り替える
ように特に構成される。
【００２６】
第1の実施態様の第3から第14の可能な実施方式のうちの任意の実施方式に関連して、第16の可能な実施方式では、送信電力決定モジュールが、
設定情報に従って電力補償値が取得できない場合、信号を送信するために端末によって使用される送信電力が、端末の最大送信電力であると決定する
ようにさらに構成される。
【００２７】
第2の実施態様によれば、端末が提供され、端末が、送受信機と、送受信機に接続される少なくとも1つのプロセッサとを含み、
プロセッサが、各カバレッジ拡張レベルで信号を送信するために使用される送信電力を決定するために使用される設定情報を取得するように構成され、取得した設定情報に従って、端末によってその時点で使用されているカバレッジ拡張レベルで信号を送信するために使用される送信電力を決定する。
【００２８】
第2の実施態様に関連して、第1の可能な実施方式では、設定情報が、端末とネットワーク側との間で一致させられる、または設定情報が、ネットワーク側で設定され、次いで端末に送信される。設定情報がネットワーク側で設定される場合、送受信機は、ネットワーク側で送信される設定情報を受信するように構成される。
【００２９】
第2の実施態様または第2の実施態様の第1の可能な実施方式に関連して、第2の可能な実施方式では、設定情報が、各カバレッジ拡張レベルで信号を送信するために要する繰り返し回数の数を含む場合、プロセッサが、
設定情報に含まれる繰り返し回数の数に従って、端末によってその時点で使用されているカバレッジ拡張レベルで信号を送信するために要する繰り返し回数の数を決定し、決定された繰り返し回数の数に従って、端末によってその時点で使用されているカバレッジ拡張レベルで信号を送信するために使用される送信電力を決定する
ように特に構成される。
【００３０】
第2の実施態様の第2の可能な実施方式に関連して、第3の可能な実施方式では、プロセッサが、
繰り返し回数の数と電力補償値との間の対応に従って、端末によってその時点で使用されているカバレッジ拡張レベルで信号を送信するために要する繰り返し回数の数に対応する電力補償値を決定し、決定された電力補償値に従って、端末によってその時点で使用されているカバレッジ拡張レベルで信号を送信するために使用される送信電力を決定する
ように特に構成される。
【００３１】
第2の実施態様または第2の実施態様の第1の可能な実施方式に関連して、第4の可能な実施方式では、設定情報が、各カバレッジ拡張レベルに対応する電力補償値を含む場合、プロセッサが、
設定情報に含まれる電力補償値に従って、端末によってその時点で使用されているカバレッジ拡張レベルに対応する電力補償値を決定し、決定された電力補償値に従って、端末によってその時点で使用されているカバレッジ拡張レベルで信号を送信するために使用される送信電力を決定する
ように特に構成される。
【００３２】
第2の実施態様の第3の可能な実施方式または第2の実施態様の第4の可能な実施方式に関連して、第5の可能な実施方式では、プロセッサが、以下の式：
P＝min｛PMAX，PREAMBLE＿RECEIVED＿TARGET＿POWER＿CI＋PL｝
に従って、端末によってその時点で使用されているカバレッジ拡張レベルで信号を送信するために使用される送信電力を決定し、
ここで、Pは、端末によって信号を送信する送信電力であり、PMAXは、端末の最大送信電力であり、PREAMBLE＿RECEIVED＿TARGET＿POWER＿CIは、端末によってその時点で使用されているカバレッジ拡張レベルに対応する電力補償値に従って決定される目標受信電力であり、PLは、経路損失である。
【００３３】
第2の実施態様の第5の可能な実施方式に関連して、第6の可能な実施方式では、プロセッサが、以下の式：
PREAMBLE＿RECEIVED＿TARGET＿POWER＿CI＝preambleInitialReceivedTargetPower＋DELTA＿PREAMBLE−GRi、または、
PREAMBLE＿RECEIVED＿TARGET＿POWER＿CI＝preambleInitialReceivedTargetPower＋DELTA＿PREAMBLE−GRi＋（PREAMBLE＿TRANSMISSION＿COUNTER＿CI−1）＊powerRampingStep＿CI
に従って目標受信電力を決定し、
ここで、GRiは、電力補償値であり、preambleInitialReceivedTargetPowerは、初期目標受信電力であり、DELTA＿PREAMBLEは、端末によって送信される信号のフォーマットに対応するオフセットであり、PREAMBLE＿TRANSMISSION＿COUNTER＿CIは、端末によってその時点で使用されているカバレッジ拡張レベルでの信号送信試行回数であり、powerRampingStep＿CIは、端末によってその時点で使用されているカバレッジ拡張レベルでの各信号送信試行における電力上昇幅である。
【００３４】
第2の実施態様の第6の可能な実施方式に関連して、第7の可能な実施方式では、プロセッサによって、目標受信電力を決定することが、DELTA＿PREAMBLEの値が0であることを決定することを含む。
【００３５】
第2の実施態様の第6の可能な実施方式または第2の実施態様の第7の可能な実施方式に関連して、第8の可能な実施方式では、プロセッサが、
設定情報が、各カバレッジ拡張レベルに対応する最大信号送信試行回数を含む場合、設定情報から、端末によってその時点で使用されているカバレッジ拡張レベルでの最大信号送信試行回数を決定する、または、
設定情報が、すべてのカバレッジ拡張レベルに対応する最大信号送信試行回数の合計を含む場合、設定情報に含まれる試行回数の合計に従って各カバレッジ拡張レベルでの最大信号送信試行回数を決定し、端末によってその時点で使用されているカバレッジ拡張レベルに従って、端末によってその時点で使用されているカバレッジ拡張レベルでの最大信号送信試行回数を決定する
ように特に構成される。
【００３６】
第2の実施態様の第6の可能な実施方式または第2の実施態様の第7の可能な実施方式または第2の実施態様の第8の可能な実施方式に関連して、第9の可能な実施方式では、プロセッサが、
設定情報が、各カバレッジ拡張レベルに対応する各信号送信試行における電力上昇幅を含む場合、設定情報から、端末によってその時点で使用されているカバレッジ拡張レベルでの各信号送信試行における電力上昇幅を決定する、または、
設定情報が、各カバレッジ拡張レベルに対応する各試行において信号がN回にわたって繰り返し送信された後の電力上昇幅の合計を含む場合、設定情報から、端末によってその時点で使用されているカバレッジ拡張レベルに対応する各試行において信号がN回にわたって繰り返し送信された後の電力上昇幅の合計を決定し、決定された電力上昇幅の合計に従って、端末によってその時点で使用されているカバレッジ拡張レベルでの各信号送信試行における電力上昇幅を決定する
ように特に構成される。
【００３７】
第2の実施態様の第6の可能な実施方式または第2の実施態様の第7の可能な実施方式または第2の実施態様の第8の可能な実施方式または第2の実施態様の第9の可能な実施方式に関連して、第10の可能な実施方式では、端末がその時点で使用されているカバレッジ拡張レベルを切り替えた後、プロセッサが、
切り替え前に端末によって使用されるカバレッジ拡張レベルに対応する電力補償値と切り替え後に端末によって使用されるカバレッジ拡張レベルに対応する電力補償値とに従って、切り替え後に使用されるカバレッジ拡張レベルで信号を送信するために使用される送信電力を決定するようにさらに構成され、ここで、
切り替え後に端末によって使用されるカバレッジ拡張レベルが、切り替え前に端末によって使用されるカバレッジ拡張レベルよりも高い。
【００３８】
第2の実施態様の第10の可能な実施方式に関連して、第11の可能な実施方式では、プロセッサが、以下の式：
【数３】
2017507569.tif 000006
に従って、切り替え後に使用されるカバレッジ拡張レベルで信号を送信するために使用される送信電力を決定し、
ここで、Piは、切り替え後に使用されるカバレッジ拡張レベルで信号を送信するために端末によって使用される送信電力であり、Pi−1は、切り替え前に使用されるカバレッジ拡張レベルでの最後の信号送信試行において端末によって使用される送信電力であり、PMAXは、端末の最大送信電力であり、GRiは、切り替え後の端末のカバレッジ拡張レベルに対応する電力補償値であり、GRi−1は、切り替え前の端末のカバレッジ拡張レベルに対応する電力補償値である。
【００３９】
第2の実施態様の第10の可能な実施方式に関連して、第12の可能な実施方式では、プロセッサが、以下の式：
【数４】
2017507569.tif 000007
に従って、切り替え後に使用されるカバレッジ拡張レベルで信号を送信するために使用される送信電力を決定し、
ここで、Piは、切り替え後に使用されるカバレッジ拡張レベルで信号を送信するために端末によって使用される送信電力であり、Pi−1は、切り替え前に使用されるカバレッジ拡張レベルでの最後の信号送信試行において端末によって使用される送信電力であり、PMAXは、端末の最大送信電力であり、GRiは、切り替え後の端末のカバレッジ拡張レベルに対応する電力補償値であり、GRi−1は、切り替え前の端末のカバレッジ拡張レベルに対応する電力補償値であり、powerRampingStep＿CI＿iは、切り替え後に使用されるカバレッジ拡張レベルでの各信号送信試行における端末の電力上昇幅である。
【００４０】
第2の実施態様の第10の可能な実施方式または第2の実施態様の第11の可能な実施方式に関連して、第13の可能な実施方式では、プロセッサが、以下の式：
PREAMBLE＿TRANSMISSION＿COUNTER＿CI＿i
に従って、切り替え後に使用されるカバレッジ拡張レベルで信号を送信するために使用される、その時点で決定されている送信電力が端末の最大送信電力に到達するまでの送信電力を決定し、
ここで、P’は、信号を送信するために端末によって決定される現在の送信電力であり、PREAMBLE＿TRANSMISSION＿COUNTER＿CI＿iは、切り替え後に使用されるカバレッジ拡張レベルでの、端末によってなされる最大信号送信試行回数である。
【００４１】
第2の実施態様の第13の可能な実施方式に関連して、第14の可能な実施方式では、PREAMBLE＿TRANSMISSION＿COUNTER＿CI＿iの値が、［1，．．．，Ni］の範囲内にあり、Niが、切り替え後に使用されるカバレッジ拡張レベルでの、端末によってなされる最大信号送信試行回数である、または、
PREAMBLE＿TRANSMISSION＿COUNTER＿CI＿iの値が、［N’＋1，．．．，N’＋Ni］の範囲内にあり、N’が、カバレッジ拡張レベルの切り替え前に端末によってなされる最大信号送信試行回数の合計であり、Niは、切り替え後に使用されるカバレッジ拡張レベルでの、端末によってなされる最大信号送信試行回数である。
【００４２】
第2の実施態様の第10から第14の可能な実施方式のうちの任意の実施方式に関連して、第15の可能な実施方式では、プロセッサが、
その時点で決定されている送信電力が、端末の最大送信電力である場合に、ネットワーク側が端末によって送信された信号をなんら受信していないことが決定されたならば、端末によって使用されるカバレッジ拡張レベルを切り替える
ように特に構成される。
【００４３】
第2の実施態様の第3から第14の可能な実施方式のうちの任意の実施方式に関連して、第16の可能な実施方式では、プロセッサが、
設定情報に従って電力補償値が取得できない場合、信号を送信するために端末によって使用される送信電力が、端末の最大送信電力であると決定する
ようにさらに構成される。
【００４４】
第3の実施態様によれば、ネットワーク側の装置が提供され、ネットワーク側の装置が、
各カバレッジ拡張レベルで信号を送信するために使用される送信電力を決定するために使用される設定情報を設定するように構成される、設定モジュールと、
ネットワーク側の装置によってサービスを受ける端末に設定情報を送信するように構成され、その結果、端末が、設定情報に従って、端末によってその時点で使用されているカバレッジ拡張レベルで信号を送信するために使用される送信電力を決定する、送信モジュールと、
を含む。
【００４５】
第3の実施態様に関連して、第1の可能な実施方式では、設定情報が、以下の情報：
各カバレッジ拡張レベルに対応する電力補償値、
各カバレッジ拡張レベルで信号を送信するために要する繰り返し回数の数、
各カバレッジ拡張レベルでの最大信号送信試行回数、
すべてのカバレッジ拡張レベルでの最大信号送信試行回数の合計、
各カバレッジ拡張レベルに対応する各信号送信試行における電力上昇幅、または、
各カバレッジ拡張レベルに対応する各試行における、信号がN回にわたって繰り返し送信された後の電力上昇幅の合計
のうちの少なくとも1つを含む。
【００４６】
第4の実施態様によれば、ネットワーク側の装置が提供され、ネットワーク側の装置が、送受信機と、送受信機に接続される少なくとも1つのプロセッサとを含み、
プロセッサが、各カバレッジ拡張レベルで信号を送信するために使用される送信電力を決定するために使用される設定情報を設定するように構成され、
送受信機が、ネットワーク側の装置によってサービスを受ける端末に設定情報を送信するように構成され、その結果、端末が、設定情報に従って、端末によってその時点で使用されているカバレッジ拡張レベルで信号を送信するために使用される送信電力を決定する。
【００４７】
第4の実施態様に関連して、第1の可能な実施方式では、設定情報が、以下の情報：
各カバレッジ拡張レベルに対応する電力補償値、
各カバレッジ拡張レベルで信号を送信するために要する繰り返し回数の数、
各カバレッジ拡張レベルでの最大信号送信試行回数、
すべてのカバレッジ拡張レベルでの最大信号送信試行回数の合計、
各カバレッジ拡張レベルに対応する各信号送信試行における電力上昇幅、または、
各カバレッジ拡張レベルに対応する各試行における、信号がN回にわたって繰り返し送信された後の電力上昇幅の合計
のうちの少なくとも1つを含む。
【００４８】
第5の実施態様によれば、カバレッジ拡張シナリオにおいて送信電力を決定するための方法が提供され、方法が、
端末によって、各カバレッジ拡張レベルで信号を送信するために使用される送信電力を決定するために使用される設定情報を取得するステップと、
端末によって、設定情報に従って、端末によってその時点で使用されているカバレッジ拡張レベルで信号を送信するために使用される送信電力を決定するステップと、
を含む。
【００４９】
第5の実施態様に関連して、第1の可能な実施方式では、設定情報が、端末とネットワーク側との間で一致させられる、または設定情報が、ネットワーク側で設定され、端末に送信される。
【００５０】
第5の実施態様または第5の実施態様の第1の可能な実施方式に関連して、第2の可能な実施方式では、設定情報が、各カバレッジ拡張レベルで信号を送信するために要する繰り返し回数の数を含む場合、端末によって、設定情報に従って、端末によってその時点で使用されているカバレッジ拡張レベルで信号を送信するために使用される送信電力を決定するステップが、
端末によって、設定情報に含まれる繰り返し回数の数に従って、端末によってその時点で使用されているカバレッジ拡張レベルで信号を送信するために要する繰り返し回数の数を決定するステップと、
端末によって、決定された繰り返し回数の数に従って、端末によってその時点で使用されているカバレッジ拡張レベルで信号を送信するために使用される送信電力を決定するステップと、
を含む。
【００５１】
第5の実施態様の第2の可能な実施方式に関連して、第3の可能な実施方式では、端末によって、設定情報に従って、端末によってその時点で使用されているカバレッジ拡張レベルで信号を送信するために使用される送信電力を決定するステップが、
端末によって、繰り返し回数の数と電力補償値との間の対応に従って、端末によってその時点で使用されているカバレッジ拡張レベルで信号を送信するために要する繰り返し回数の数に対応する電力補償値を決定するステップと、
端末によって、決定された電力補償値に従って、端末によってその時点で使用されているカバレッジ拡張レベルで信号を送信するために使用される送信電力を決定するステップと、
を含む。
【００５２】
第5の実施態様または第5の実施態様の第1の可能な実施方式に関連して、第4の可能な実施方式では、設定情報が、各カバレッジ拡張レベルに対応する電力補償値を含む場合、端末によって、設定情報に従って、端末によってその時点で使用されているカバレッジ拡張レベルで信号を送信するために使用される送信電力を決定するステップが、
端末によって、設定情報に含まれる電力補償値に従って、端末によってその時点で使用されているカバレッジ拡張レベルに対応する電力補償値を決定するステップと、
端末によって、決定された電力補償値に従って、端末によってその時点で使用されているカバレッジ拡張レベルで信号を送信するために使用される送信電力を決定するステップと、
を含む。
【００５３】
第5の実施態様の第3の可能な実施方式または第5の実施態様の第4の可能な実施方式に関連して、第5の可能な実施方式では、端末が、以下の式：
P＝min｛PMAX，PREAMBLE＿RECEIVED＿TARGET＿POWER＿CI＋PL｝
に従って、端末によってその時点で使用されているカバレッジ拡張レベルで信号を送信するために使用される送信電力を決定し、
ここで、Pは、端末によって信号を送信する送信電力であり、PMAXは、端末の最大送信電力であり、PREAMBLE＿RECEIVED＿TARGET＿POWER＿CIは、端末によってその時点で使用されているカバレッジ拡張レベルに対応する電力補償値に従って端末によって決定される目標受信電力であり、PLは、経路損失である。
【００５４】
第5の実施態様の第5の可能な実施方式に関連して、第6の可能な実施方式では、端末が、以下の式：
PREAMBLE＿RECEIVED＿TARGET＿POWER＿CI＝preambleInitialReceivedTargetPower＋DELTA＿PREAMBLE−GRi、または、
PREAMBLE＿RECEIVED＿TARGET＿POWER＿CI＝preambleInitialReceivedTargetPower＋DELTA＿PREAMBLE−GRi＋（PREAMBLE＿TRANSMISSION＿COUNTER＿CI−1）＊powerRampingStep＿CI
に従って目標受信電力を決定し、
ここで、GRiは、電力補償値であり、preambleInitialReceivedTargetPowerは、初期目標受信電力であり、DELTA＿PREAMBLEは、端末によって送信される信号のフォーマットに対応するオフセットであり、PREAMBLE＿TRANSMISSION＿COUNTER＿CIは、端末によってなされる、端末によってその時点で使用されているカバレッジ拡張レベルでの信号送信試行回数であり、powerRampingStep＿CIは、端末によってその時点で使用されているカバレッジ拡張レベルでの各信号送信試行における端末の電力上昇幅である。
【００５５】
第5の実施態様の第6の可能な実施方式に関連して、第7の可能な実施方式では、端末によって、目標受信電力を決定することが、端末によって、DELTA＿PREAMBLEの値が0であることを決定することを含む。
【００５６】
第5の実施態様の第6の可能な実施方式または第5の実施態様の第7の可能な実施方式に関連して、第8の可能な実施方式では、端末によって、端末によってその時点で使用されているカバレッジ拡張レベルでの信号送信試行回数を決定するステップが、
設定情報が、各カバレッジ拡張レベルに対応する最大信号送信試行回数を含む場合、端末によって、設定情報から、端末によってその時点で使用されているカバレッジ拡張レベルでの最大信号送信試行回数を決定するステップ、または、
設定情報が、すべてのカバレッジ拡張レベルに対応する最大信号送信試行回数の合計を含む場合、端末によって、設定情報に含まれる試行回数の合計に従って端末の各カバレッジ拡張レベルでの最大信号送信試行回数を決定するステップと、端末によってその時点で使用されているカバレッジ拡張レベルに従って、端末によってその時点で使用されているカバレッジ拡張レベルでの最大信号送信試行回数を決定するステップと、
を含む。
【００５７】
第5の実施態様の第6の可能な実施方式または第5の実施態様の第7の可能な実施方式または第5の実施態様の第8の可能な実施方式に関連して、第9の可能な実施方式では、端末によって、端末によってその時点で使用されているカバレッジ拡張レベルでの各信号送信試行における電力上昇幅を決定するステップが、
設定情報が、各カバレッジ拡張レベルに対応する各信号送信試行における電力上昇幅を含む場合、端末によって、設定情報から、端末によってその時点で使用されているカバレッジ拡張レベルでの各信号送信試行における電力上昇幅を決定するステップ、または、
設定情報が、各カバレッジ拡張レベルに対応する各試行において信号がN回にわたって繰り返し送信された後の電力上昇幅の合計を含む場合、端末によって、設定情報から、端末によってその時点で使用されているカバレッジ拡張レベルに対応する各試行において信号がN回にわたって繰り返し送信された後の電力上昇幅の合計を決定するステップと、決定された電力上昇幅の合計に従って、端末によってその時点で使用されているカバレッジ拡張レベルでの各信号送信試行における電力上昇幅を決定するステップと、
を含む。
【００５８】
第5の実施態様の第6の可能な実施方式または第5の実施態様の第7の可能な実施方式または第5の実施態様の第8の可能な実施方式または第5の実施態様の第9の可能な実施方式に関連して、第10の可能な実施方式では、端末がその時点で使用されているカバレッジ拡張レベルを切り替えた後、方法が、
端末によって、切り替え前に使用されるカバレッジ拡張レベルに対応する電力補償値と切り替え後に使用されるカバレッジ拡張レベルに対応する電力補償値とに従って、切り替え後に使用されるカバレッジ拡張レベルで信号を送信するために使用される送信電力を決定するステップ
をさらに含み、ここで、
切り替え後に端末によって使用されるカバレッジ拡張レベルが、切り替え前に端末によって使用されるカバレッジ拡張レベルよりも高い。
【００５９】
第5の実施態様の第10の可能な実施方式に関連して、第11の可能な実施方式では、端末が、以下の式：
【数５】
2017507569.tif 000008
に従って、切り替え後に使用されるカバレッジ拡張レベルで信号を送信するために使用される送信電力を決定し、
ここで、Piは、切り替え後に使用されるカバレッジ拡張レベルで信号を送信するために端末によって使用される送信電力であり、Pi−1は、切り替え前に使用されるカバレッジ拡張レベルでの最後の信号送信試行において端末によって使用される送信電力であり、PMAXは、端末の最大送信電力であり、GRiは、切り替え後の端末のカバレッジ拡張レベルに対応する電力補償値であり、GRi−1は、切り替え前の端末のカバレッジ拡張レベルに対応する電力補償値である。
【００６０】
第5の実施態様の第10の可能な実施方式に関連して、第12の可能な実施方式では、端末が、以下の式：
【数６】
2017507569.tif 000009
に従って、切り替え後に使用されるカバレッジ拡張レベルで信号を送信するために使用される送信電力を決定し、
ここで、Piは、切り替え後に使用されるカバレッジ拡張レベルで信号を送信するために端末によって使用される送信電力であり、Pi−1は、切り替え前に使用されるカバレッジ拡張レベルでの最後の信号送信試行において端末によって使用される送信電力であり、PMAXは、端末の最大送信電力であり、GRiは、切り替え後の端末のカバレッジ拡張レベルに対応する電力補償値であり、GRi−1は、切り替え前の端末のカバレッジ拡張レベルに対応する電力補償値であり、powerRampingStep＿CI＿iは、切り替え後に使用されるカバレッジ拡張レベルでの各信号送信試行における端末の電力上昇幅である。
【００６１】
第5の実施態様の第10の可能な実施方式または第5の実施態様の第11の可能な実施方式に関連して、第13の可能な実施方式では、端末が、以下の式：
P’＝Pi＋（PREAMBLE＿TRANSMISSION＿COUNTER＿CI＿i−1）＊powerRampingStep＿CI＿i
に従って、切り替え後に使用されるカバレッジ拡張レベルで信号を送信するために使用される、その時点で決定されている送信電力が端末の最大送信電力に到達するまでの送信電力を決定し、
ここで、P’は、信号を送信するために端末によって決定される現在の送信電力であり、PREAMBLE＿TRANSMISSION＿COUNTER＿CI＿iは、切り替え後に使用されるカバレッジ拡張レベルでの、端末によってなされる最大信号送信試行回数である。
【００６２】
第5の実施態様の第13の可能な実施方式に関連して、第14の可能な実施方式では、PREAMBLE＿TRANSMISSION＿COUNTER＿CI＿iの値が、［1，．．．，Ni］の範囲内にあり、Niが、切り替え後に使用されるカバレッジ拡張レベルでの、端末によってなされる最大信号送信試行回数である、または、
PREAMBLE＿TRANSMISSION＿COUNTER＿CI＿iの値が、［N’＋1，．．．，N’＋Ni］の範囲内にあり、N’が、カバレッジ拡張レベルの切り替え前に端末によってなされる最大信号送信試行回数の合計であり、Niは、切り替え後に使用されるカバレッジ拡張レベルでの、端末によってなされる最大信号送信試行回数である。
【００６３】
第5の実施態様の第10から第14の可能な実施方式のうちの任意の実施方式に関連して、第15の可能な実施方式では、端末が、以下のステップ：
その時点で決定されている送信電力が、端末の最大送信電力である場合に、ネットワーク側が端末によって送信された信号をなんら受信していないことを端末が決定したならば、端末によって使用されるカバレッジ拡張レベルを端末によって切り替えるステップ
に従って使用されるカバレッジ拡張レベルを切り替える。
【００６４】
第5の実施態様の第3から第14の可能な実施方式のうちの任意の実施方式に関連して、第16の可能な実施方式では、端末によって、設定情報に従って、端末によってその時点で使用されているカバレッジ拡張レベルで信号を送信するために使用される送信電力を決定するステップが、
設定情報に従って電力補償値が取得できない場合、信号を送信するために端末によって使用される送信電力が、端末の最大送信電力であると端末によって決定するステップ
を含む。
【００６５】
第6の実施態様によれば、カバレッジ拡張シナリオにおける送信電力を決定するための方法が提供され、方法が、
ネットワーク側で、各カバレッジ拡張レベルで信号を送信するために使用される送信電力を決定するために使用される設定情報を設定するステップと、
ネットワーク側で、ネットワーク側によってサービスを受ける端末に設定情報を送信し、その結果、設定情報に従って、端末によってその時点で使用されているカバレッジ拡張レベルで信号を送信するために使用される送信電力を端末が決定する、ステップと、
を含む。
【００６６】
第6の実施態様に関連して、第1の可能な実施方式では、設定情報が、以下の情報：
各カバレッジ拡張レベルに対応する電力補償値、
各カバレッジ拡張レベルで信号を送信するために要する繰り返し回数の数、
各カバレッジ拡張レベルでの最大信号送信試行回数、
すべてのカバレッジ拡張レベルでの最大信号送信試行回数の合計、
各カバレッジ拡張レベルに対応する各信号送信試行における電力上昇幅、または、
各カバレッジ拡張レベルに対応する各試行における、信号がN回にわたって繰り返し送信された後の電力上昇幅の合計
のうちの少なくとも1つを含む。
【００６７】
本発明の実施形態における、または従来技術における技術的な解決策をより明確に説明するために、以下、実施形態を説明するために必要な添付の図面を簡単に説明する。当然のことながら、以下の説明における添付の図面は、本発明の一部の実施形態を単に示すものであり、当業者は、創造的努力がなくても、これらの添付の図面から他の図面をさらに導出することができる。
【図面の簡単な説明】
【００６８】
【図１】本発明による端末の概略図である。
【図２】本発明によるカバレッジ拡張レベルに対応する電力補償値の概略図である。
【図３】本発明による別の端末の概略図である。
【図４】本発明によるネットワーク側の装置の概略図である。
【図５】本発明による別のネットワーク側の装置の概略図である。
【図６】本発明によるカバレッジ拡張シナリオにおいて送信電力を決定するための方法の概略図である。
【図７】本発明による別のカバレッジ拡張シナリオにおいて送信電力を決定するための方法の概略図である。
【発明を実施するための形態】
【００６９】
以下、添付の、本発明の実施形態における図面を参照しながら、本発明の実施形態における技術的な解決策を明確かつ完全に説明する。当然のことながら、説明される実施形態は、単に本発明の実施形態の一部に過ぎず、すべてではない。本発明の実施形態に基づいて、当業者によって創造的努力なしに得られるすべての他の実施形態は、本発明の保護範囲内に含まれるものとする。
【００７０】
本発明は、端末を提供する。図1に示されているように、端末は、
各カバレッジ拡張レベルで信号を送信するために使用される送信電力を決定するために使用される設定情報を取得するように構成される、設定情報取得モジュール11と、
設定情報取得モジュール11によって取得された設定情報に従って、端末によってその時点で使用されているカバレッジ拡張レベルで信号を送信するために使用される送信電力を決定するように構成される、送信電力決定モジュール12と、
を含む。
【００７１】
本発明において提供される端末が、各カバレッジ拡張レベルで信号を送信するために使用される送信電力を決定するために使用される設定情報を取得し、カバレッジ拡張シナリオにおいて信号を送信するために使用される送信電力を決定するように、取得した設定情報に従って、端末によってその時点で使用されているカバレッジ拡張レベルで信号を送信するために使用される送信電力を決定する。
【００７２】
本発明において提供される端末は、取得した設定情報に従って、カバレッジ拡張シナリオにおいてランダムアクセスプリアンブル系列を送信するために使用される送信電力を決定することもできるし、カバレッジ拡張シナリオにおいて別の信号またはデータを送信する際に使用される送信電力を決定することもできる。
【００７３】
実施の際、設定情報取得モジュール11によって取得される設定情報は、端末とネットワーク側との間で一致させてもよいし、ネットワーク側で設定され、次いで端末に送信されてもよい。本発明の本実施形態は、設定情報を取得するための方法を限定しない。
【００７４】
前述の実施形態のうちのいずれかに基づいて、第1の実施方式では、設定情報取得モジュール11によって取得される設定情報が、各カバレッジ拡張レベルで信号を送信するために要する繰り返し回数の数を含む場合、送信電力決定モジュール12が、
設定情報に含まれる繰り返し回数の数に従って、端末によってその時点で使用されているカバレッジ拡張レベルで信号を送信するために要する繰り返し回数の数を決定し、
決定された繰り返し回数の数に従って、端末によってその時点で使用されているカバレッジ拡張レベルで信号を送信するために使用される送信電力を決定する、
ように特に構成される。
【００７５】
また、好ましい実施方式では、送信電力決定モジュール12は、
繰り返し回数の数と電力補償値との間の対応に従って、端末によってその時点で使用されているカバレッジ拡張レベルで信号を送信するために要する繰り返し回数の数に対応する電力補償値を決定し、決定された電力補償値に従って、端末によってその時点で使用されているカバレッジ拡張レベルで信号を送信するために使用される送信電力を決定する、
ように特に構成される。
【００７６】
前述の好ましい実施方式以外に、代替的に、送信電力決定モジュール12は、以下のステップ：
繰り返し回数の数と送信電力との間の対応に従って、端末によってその時点で使用されているカバレッジ拡張レベルで信号を送信するために要する繰り返し回数の数に対応する送信電力を決定するステップ
に従って、端末によってその時点で使用されているカバレッジ拡張レベルで信号を送信するために使用される送信電力を決定することができる。
【００７７】
前述の実施形態のうちのいずれかに基づいて、第2の実施方式では、設定情報取得モジュール11によって取得される設定情報が、各カバレッジ拡張レベルに対応する電力補償値を含む場合、送信電力決定モジュール12が、
設定情報に含まれる電力補償値に従って、端末によってその時点で使用されているカバレッジ拡張レベルに対応する電力補償値を決定し、決定された電力補償値に従って、端末によってその時点で使用されているカバレッジ拡張レベルで信号を送信するために使用される送信電力を決定する、
ように特に構成される。
【００７８】
好ましくは、前述の実施形態に基づいて、電力補償値GRiの設定中、異なるカバレッジ拡張レベルが、異なる電力補償値GRiに対応し、より高いカバレッジ拡張レベルが、より大きい電力補償値GRiに対応する。
【００７９】
確かに、電力補償値GRiの設定中、異なるカバレッジ拡張レベルが、同じ電力補償値GRiに対応することもあるし、あるいは一部のカバレッジ拡張レベルが、同じ電力補償値GRiに対応することもあると同時に、一部のカバレッジ拡張レベルが、異なる電力補償値GRiに対応することもある。
【００８０】
例として端末のランダムアクセスプロセスを用いることによって（すなわち、端末によって送信される信号が、ランダムアクセスプリアンブル系列（preamble）である）、以下、信号を送信するために端末によって使用される送信電力を決定するためのプロセスを説明する。別の信号を送信するために使用される送信電力を決定するためのプロセスは、同様であり、本明細書において例と共に徹底的に説明することはしない。
【００８１】
実施の際、送信電力決定モジュール12が、決定された電力補償値に従って、かつ以下の式1：
P＝min｛PMAX，PREAMBLE＿RECEIVED＿TARGET＿POWER＿CI＋PL｝．．．式1
に従って、端末によってその時点で使用されているカバレッジ拡張レベルで信号を送信するために使用される送信電力を決定し、
ここで、Pは、端末によって信号を送信する送信電力であり、PMAXは、端末の最大送信電力であり、PREAMBLE＿RECEIVED＿TARGET＿POWER＿CIは、端末によってその時点で使用されているカバレッジ拡張レベルに対応する電力補償値に従って決定される目標受信電力であり、PLは、経路損失である。
【００８２】
また、送信電力決定モジュール12は、以下の式2または式3：
PREAMBLE＿RECEIVED＿TARGET＿POWER＿CI＝preambleInitialReceivedTargetPower＋DELTA＿PREAMBLE−GRi．．．式2、または
PREAMBLE＿RECEIVED＿TARGET＿POWER＿CI＝preambleInitialReceivedTargetPower＋DELTA＿PREAMBLE−GRi＋（PREAMBLE＿TRANSMISSION＿COUNTER＿CI−1）＊powerRampingStep＿CI．．．式3
に従って、目標受信電力PREAMBLE＿RECEIVED＿TARGET＿POWER＿CIを決定する。
【００８３】
上述の式2および式3において、GRiは、電力補償値であり、preambleInitialReceivedTargetPowerは、初期目標受信電力であり、DELTA＿PREAMBLEは、端末によって送信される信号のフォーマットに対応するオフセットであり、PREAMBLE＿TRANSMISSION＿COUNTER＿CIは、端末によってその時点で使用されているカバレッジ拡張レベルでの信号送信試行回数であり、powerRampingStep＿CIは、端末によってその時点で使用されているカバレッジ拡張レベルでの各信号送信試行における電力上昇幅である。
【００８４】
具体的には、電力上昇を考慮しない場合、送信電力決定モジュール12は、式2を使用して目標受信電力を決定し、電力上昇を考慮する場合、送信電力決定モジュール12は、式3を使用して目標受信電力を決定する。
【００８５】
本発明の本実施形態におけるカバレッジ拡張シナリオでは、異なるカバレッジ拡張レベルは、異なるカバレッジ拡張メカニズムに対応し、同じカバレッジ拡張レベルにある端末は、同じカバレッジ拡張メカニズムを使用する。端末は、端末のカバレッジ拡張要件に従って、適切なカバレッジ拡張レベルと対応するカバレッジ拡張メカニズムとを選択する。例えば、図2に示されているように、最大カバレッジ拡張要件が15dBである例を用いると、カバレッジ拡張レベルLevel＿1の範囲内にUE1およびUE2の両方が配置され、UE1は、1dBの経路損失を補償される必要があり、UE2は、4dBの経路損失を補償される必要があり、UE3は、カバレッジ拡張レベルLevel＿2の範囲に配置され、7dBの経路損失を補償される必要がある。つまり、UE1、UE2、およびUE3が、すべて、最大送信電力PMAXで送信を行う場合、理想的なケースでは、ネットワーク側の受信要件を満たすために、UE1、UE2、およびUE3は、それぞれ、1dB、4dB、および7dBだけ補償される必要がある。しかしながら、特定のカバレッジ拡張レベルにある端末が、経路損失を事実上補正され得ることを確実にするために、補正は、このカバレッジ拡張レベルの最大補正要件に従って行われる必要がある。例えば、Level＿1［0dB，5dB）にあるすべての端末は、目標として5dBだけ補償される必要があり、Level＿2［5dB，10dB）にあるすべての端末は、目標として10dBだけ補償される必要があり、Level＿3［10dB，15dB）にあるすべての端末は、目標として15dBだけ補償される必要がある。
【００８６】
このようにして、UE1、UE2、およびUE3が、それらのそれぞれの最大送信電力で信号を依然として送信する場合、UEによって送信された信号がネットワーク側に到達した場合に取得される信号受信電力は、ネットワーク側が要する信号受信電力よりも大きくなることがあり、また比較的大きい信号受信電力を有する信号が、比較的小さい信号受信電力を有する信号を圧倒することがあり、このことは、比較的小さい信号受信電力を有する信号の通常の受信に影響を及ぼす。したがって、UE1、UE2、およびUE3のどれも、それらのそれぞれの最大送信電力で信号を送信する必要がなく、各UEが、電力上昇に利用できる余力を有する。階層ノード（例えば、5dB、10dB、および15dB）上の端末が電力上昇のための電力を取っておくために、各カバレッジ拡張レベルの補償値は、このカバレッジ拡張レベルの最大補償要件よりも大きい必要がある。したがって、本発明の本実施形態は、送信電力を決定する間、電力補償値（図2のXdB、YdB、およびZdBは、Level＿1、Level＿2、およびLevel＿3にそれぞれ対応する電力補償値である）を導入して、同じカバレッジ拡張レベルにある端末が信号を送信する際に引き起こされる信号圧倒現象を回避し、電力資源の浪費を回避する。
【００８７】
また、送信電力決定モジュール12によって、式2および式3における目標受信電力を決定するステップは、DELTA＿PREAMBLEが0であることを決定するステップを含む。
【００８８】
具体的には、カバレッジ拡張シナリオにおいて、送信電力決定モジュール12は、電力補償値に従って送信電力を決定するため、既存のDELTA＿PREAMBLE値の表は、表2に示されるように改良することができる。
【００８９】
【表２】
2017507569.tif 000010
【００９０】
表2では、＊は、値がカバレッジ拡張シナリオに適切であることを意味する。
【００９１】
カバレッジ拡張シナリオにおいて信号を送信するために端末によって使用される送信電力が、従来技術におけるDELTA＿PREAMBLE値の表に従って計算される場合、フォーマット2（format2）およびformat3に従って送信電力を計算する際、3dBを差し引く必要がある。そうすると、カバレッジ拡張シナリオでは、差し引かれた3dBを補償するためにより多くの信号繰り返しを要し、このことが資源の浪費につながる。したがって、本発明の本実施形態では、カバレッジ拡張シナリオにおけるDELTA＿PREAMBLE値の表が改良され、format 2およびformat 3のDELTA＿PREAMBLE値が、0にセットされて、資源の浪費を回避する。しかしながら、同じ電力補償値GRiに対してDELTA＿PREAMBLE値が0である場合、異なるフォーマットの信号（preambleなど）を送信するのに要する回数の数は、異なるべきであることに留意すべきである。つまり、同じ電力補償値GRiに対して要する繰り返し回数の数Riは、異なるフォーマットの信号では変化する。
【００９２】
異なるpreambleフォーマットに含まれる信号系列の数は、異なる。例えば、format0およびformat1は、それぞれ、1つの信号系列を含み、format2およびformat3は、それぞれ、2つの信号系列を含む。したがって、必要な繰り返し回数の合計が10であり、format0およびformat1のpreambleが使用される場合、各preambleは、10回にわたって繰り返し送信される必要があり、format2およびformat3のpreambleが使用される場合、各preambleは、繰り返し送信される必要があるのは5回だけである。
【００９３】
前述の実施形態に基づいて、送信電力決定モジュール12によって、式2および式3における端末によってその時点で使用されているカバレッジ拡張レベルでの信号送信試行回数を決定するステップが含むのは、すなわち：
【００９４】
（i）設定情報が、各カバレッジ拡張レベルに対応する最大信号送信試行回数を含む場合、設定情報から、端末によってその時点で使用されているカバレッジ拡張レベルでの最大信号送信試行回数を決定するステップ。
【００９５】
例えば、設定情報が、各カバレッジ拡張レベルに対応する最大信号送信試行回数を含み、例えばLevel＿1（カバレッジ拡張レベル1）に対応する最大試行回数は2であり、Level＿2に対応する最大試行回数は2であり、Level＿3に対応する最大試行回数は1であると仮定すると、端末によってその時点で使用されているカバレッジ拡張レベルがLevel＿2であるならば、送信電力決定モジュール12は、端末によってなされる信号送信試行回数が2であると決定する。
【００９６】
実施の際、すべてのカバレッジ拡張レベルに対応する最大信号送信試行回数は、同じであってもよいし、異なっていてもよい。好ましくは、すべてのカバレッジ拡張レベルに対応する最大信号送信試行回数が同じである場合、設定情報は、ただ1つの最大試行回数の値を含む必要がある。
【００９７】
（ii）設定情報が、すべてのカバレッジ拡張レベルに対応する最大信号送信試行回数の合計（すなわち、PREAMBLE＿TRANSMISSION＿COUNTER＿CI＿total）を含む場合、設定情報に含まれる試行回数の合計に従って、各カバレッジ拡張レベルでの、端末によってなされる最大信号送信試行回数を決定するステップと、端末によってその時点で使用されているカバレッジ拡張レベルに従って、端末によってその時点で使用されているカバレッジ拡張レベルでの最大信号送信試行回数を決定するステップ。
【００９８】
送信電力決定モジュール12は、各カバレッジ拡張レベルでの最大信号送信試行回数を自ら決定してもよいし、ある定められた規則に従って、各カバレッジ拡張レベルでの最大信号送信試行回数を決定してもよい。
【００９９】
例えば、設定情報が、例えばすべてのカバレッジ拡張レベルに対応する最大信号送信試行回数の合計を含むと仮定すると、すべてのレベルで端末によってなされる最大信号送信試行回数が6であるならば、送信電力決定モジュール12は、まず、特定のアルゴリズムに従って、各カバレッジ拡張レベルでの、端末によってなされる最大試行回数を決定でき（例えば、Level＿1での最大試行回数が4、Level＿2での最大試行回数が2、Level＿3では試行がなされないと決定でき、また例えば、各Levelで2試行がなされると決定できる）、次いで、送信電力決定モジュール12は、端末によってその時点で使用されているカバレッジ拡張レベルに従って、端末によってその時点で使用されているカバレッジ拡張レベルでの最大信号送信試行回数を決定する。
【０１００】
式2および式3におけるPREAMBLE＿TRANSMISSION＿COUNTER＿CI（すなわち、端末によってその時点で使用されているカバレッジ拡張レベルでの信号送信試行回数）は、端末によってその時点で使用されているカバレッジ拡張レベルでの決定された最大信号送信試行回数を超えないことに留意されたい。つまり、PREAMBLE＿TRANSMISSION＿COUNTER＿CIの値は、1から開始され、端末によってその時点で使用されているカバレッジ拡張レベルでの最大信号送信試行回数まで増加できる。
【０１０１】
加えて、本発明は、端末の最大試行回数の使用法を限定するものではなく、以下の方式のうちのいずれを用いてもよい。
【０１０２】
（i）端末によってその時点で使用されているカバレッジ拡張レベルに対応する最大試行回数に従って電力上昇が行われた後、ネットワーク側が端末によって送信された信号をなんら受信していない（例えば、ランダムアクセスプロセスにおいて、ネットワークアクセスが成功しない）ことが決定されたならば、端末は、より高いカバレッジ拡張レベルに切り替えられて、試行を継続する。
【０１０３】
（ii）端末によってその時点で使用されているカバレッジ拡張レベルに対応する最大試行回数未満の試行回数に従って電力上昇が行われた後、ネットワーク側が端末によって送信された信号をなんら受信していない（例えば、ランダムアクセスプロセスにおいて、ネットワークアクセスが成功しない）ことが決定されたならば、端末は、より高いカバレッジ拡張レベルに切り替えられて、試行を継続する。
【０１０４】
（iii）端末によってその時点で使用されているカバレッジ拡張レベルに対応する最大試行回数がNであると仮定すると、x回の電力上昇の試行が行われた後、ネットワーク側が端末によって送信された信号をなんら受信していない（例えば、ランダムアクセスプロセスにおいて、ネットワークアクセスが成功しない）ことが決定され、かつ本ケースにおいて決定された送信電力が端末の最大送信電力に既に到達しているならば、さらにy回の試行が行われて、最大送信電力で信号を送信するものであり、ここで、x＋y＜＝Nである。
【０１０５】
前述の実施形態のうちのいずれかに基づいて、送信電力決定モジュール12によって、式2および式3における端末によってその時点で使用されているカバレッジ拡張レベルでの各信号送信試行における電力上昇幅を決定するステップが含むのは、すなわち：
【０１０６】
（i）設定情報が、各カバレッジ拡張レベルに対応する各信号送信試行における電力上昇幅を含む場合、設定情報から、端末によってその時点で使用されているカバレッジ拡張レベルでの各信号送信試行における電力上昇幅を決定するステップ。
【０１０７】
具体的には、各カバレッジ拡張レベルに対応する各信号送信試行における電力上昇幅は、各カバレッジ拡張レベルに対して、各信号送信試行における第i回目の繰り返しにおいて使用される電力と、前回の信号送信試行における第i回目の繰り返しにおいて使用される電力との間の電力上昇幅を言うものであり、ここで、i＝1，．．．，Nであり、Nは、信号を送信するために要し、各カバレッジ拡張レベルに対応する繰り返し回数の数である。したがって、送信電力決定モジュール12は、端末によってその時点で使用されているカバレッジ拡張レベルに対応する任意の信号送信試行において第i回目に信号を繰り返し送信するために使用される電力と、前回の信号送信試行において第i回目に信号を繰り返し送信するために使用される電力との間の電力上昇幅が、端末によってその時点で使用されているカバレッジ拡張レベルでの各信号送信試行における電力上昇幅（powerRampingStep＿CI）であると決定する。
【０１０８】
各カバレッジ拡張レベルに対応する任意の試行において信号が繰り返し送信される任意の2つの回数の間の電力上昇幅は、同じであってもよいし、異なっていてもよい。
【０１０９】
（ii）設定情報が、各カバレッジ拡張レベルに対応する各試行において信号がN回にわたって繰り返し送信された後の電力上昇幅の合計（powerRampingStep＿CI＿total）を含む場合、設定情報から、端末によってその時点で使用されているカバレッジ拡張レベルに対応する各試行において信号がN回にわたって繰り返し送信された後の電力上昇幅の合計を決定するステップと、決定された電力上昇幅の合計に従って、端末によってその時点で使用されているカバレッジ拡張レベルでの各信号送信試行における電力上昇幅を決定するステップ。
【０１１０】
具体的には、各カバレッジ拡張レベルに対応する各試行において信号がN回にわたって繰り返し送信された後の電力上昇幅の合計は、各カバレッジ拡張レベルに対して、各試行において信号がN回にわたって繰り返し送信された後に使用される電力と、前回の試行において信号がN回にわたって繰り返し送信された後に使用される電力との間の電力上昇幅を言うものであり、ここで、Nは、信号を送信するために要し、各カバレッジ拡張レベルに対応する繰り返し回数の数である。
【０１１１】
端末によってその時点で使用されているカバレッジ拡張レベルでの各信号送信試行における決定された電力上昇幅は、端末によってその時点で使用されているカバレッジ拡張レベルでの、各信号送信試行における第i回目の繰り返しにおいて使用される電力と、前回の信号送信試行における第i回目の繰り返しにおいて使用される電力との間の電力上昇幅を言うものであり、ここで、i＝1，．．．，N＊であり、N＊は、信号を送信するために要し、端末によってその時点で使用されているカバレッジ拡張レベルに対応する繰り返し回数の数である。
【０１１２】
端末は、各カバレッジ拡張レベルでの各信号送信試行における電力上昇幅を自ら決定してもよいし、ある定められた規則に従って、各カバレッジ拡張レベルでの各信号送信試行における電力上昇幅を決定してもよい。
【０１１３】
前述の実施形態のうちのいずれかに基づいて、端末がその時点で使用されているカバレッジ拡張レベルを切り替えた後、送信電力決定モジュール12が、
切り替え前に端末によって使用されるカバレッジ拡張レベルに対応する電力補償値と切り替え後に使用されるカバレッジ拡張レベルに対応する電力補償値とに従って、切り替え後に使用されるカバレッジ拡張レベルで信号を送信するために使用される送信電力を決定する
ようにさらに構成され、ここで、
切り替え後に端末によって使用されるカバレッジ拡張レベルが、切り替え前に端末によって使用されるカバレッジ拡張レベルよりも高い。
【０１１４】
また、送信電力決定モジュール12は、
その時点で決定されている送信電力が、端末の最大送信電力である場合に、ネットワーク側が端末によって送信された信号をなんら受信していない（例えば、ランダムアクセスプロセスにおいて、ネットワークアクセスが成功しない）ことが決定されたならば、端末によって使用されるカバレッジ拡張レベルを切り替える
ように特に構成される。
【０１１５】
具体的には、端末が、端末の最大送信電力で信号を現在送信しているが、ネットワーク側が、端末によって送信された信号を依然として成功裏に受信していない場合、送信電力決定モジュール12は、端末によって使用されるカバレッジ拡張レベルをより高いカバレッジ拡張レベルに切り替える。
【０１１６】
実施の際、任意の実施方式では、送信電力決定モジュール12が、以下の式4：
【数７】
2017507569.tif 000011
に従って、切り替え後に使用されるカバレッジ拡張レベルで信号を送信するために使用される送信電力を決定し、
ここで、Piは、切り替え後に使用されるカバレッジ拡張レベルで信号を送信するために端末によって使用される送信電力であり、Pi−1は、切り替え前に使用されるカバレッジ拡張レベルでの最後の信号送信試行において端末によって使用される送信電力であり、PMAXは、端末の最大送信電力であり、GRiは、切り替え後の端末のカバレッジ拡張レベルに対応する電力補償値であり、GRi−1は、切り替え前の端末のカバレッジ拡張レベルに対応する電力補償値である。
【０１１７】
より低いカバレッジ拡張レベルからより高いカバレッジ拡張レベルに切り替わる端末では、信号を送信するために使用される送信電力を決定する間、ネットワーク側（基地局など）に到達する信号の受信電力が、切り替え前に使用される受信電力未満になってはならない（すなわち、切り替え前に使用される受信電力よりも大または等しくなければならない）ことを確実にする必要がある。そうでないと、カバレッジ拡張レベルの切り替えに意味がなくなる。例えば、切り替え前に使用されるカバレッジ拡張レベルが、Leve＿i−1、送信電力が、P＿i−1、ネットワーク側に到達する信号の受信電力が、Pr＿i−1、切り替え後に使用されるカバレッジ拡張レベルが、Leve＿i、そして決定された送信電力がP＿iであると仮定すると、ネットワーク側に到達する信号の受信電力が、Pr＿i≧Pr＿i−1となることを確実にする必要がある。本発明の本実施形態では、式4を使用して、切り替え後に使用されるカバレッジ拡張レベルでの信号を送信するために端末によって使用される送信電力を計算し、それによって、Pr＿i≧Pr＿i−1となることを確実にする。
【０１１８】
別の任意の実施方式では、送信電力決定モジュール12が、以下の式5：
【数８】
2017507569.tif 000012
に従って、切り替え後に使用されるカバレッジ拡張レベルで信号を送信するために使用される送信電力を決定し、
ここで、Piは、切り替え後に使用されるカバレッジ拡張レベルで信号を送信するために端末によって使用される送信電力であり、Pi−1は、切り替え前に使用されるカバレッジ拡張レベルでの最後の信号送信試行において端末によって使用される送信電力であり、PMAXは、端末の最大送信電力であり、GRiは、切り替え後の端末のカバレッジ拡張レベルに対応する電力補償値であり、GRi−1は、切り替え前の端末のカバレッジ拡張レベルに対応する電力補償値であり、powerRampingStep＿CI＿iは、切り替え後に使用されるカバレッジ拡張レベルでの各信号送信試行における端末の電力上昇幅である。
【０１１９】
上述の式5におけるpowerRampingStep＿CI＿iを決定するための方法は、式2および式3における端末によってその時点で使用されているカバレッジ拡張レベルでの各信号送信試行における電力上昇幅を決定するための方法と同じであり、細部については本明細書では説明しない。
【０１２０】
また、切り替え後に使用されるカバレッジ拡張レベルで信号を送信するために端末によって使用される送信電力が決定され、最大送信電力に到達するまで、Piに基づいて電力上昇を行うことができる。つまり、送信電力決定モジュール12が、以下の式6：
P’＝Pi＋（PREAMBLE＿TRANSMISSION＿COUNTER＿CI＿i−1）＊powerRampingStep＿CI＿i．．．式6
に従って、切り替え後に使用されるカバレッジ拡張レベルで信号を送信するために使用される、その時点で決定されている送信電力が端末の最大送信電力に到達するまでの送信電力を決定し、
ここで、P’は、信号を送信するために端末によって決定される現在の送信電力であり、PREAMBLE＿TRANSMISSION＿COUNTER＿CI＿iは、切り替え後に使用されるカバレッジ拡張レベルでの、端末によってなされる最大信号送信試行回数である。
【０１２１】
上述の式6におけるPREAMBLE＿TRANSMISSION＿COUNTER＿CI＿iを決定するための方法は、式2および式3における端末によってその時点で使用されているカバレッジ拡張レベルでの信号送信試行回数を決定するための方法と同じであり、細部については本明細書では説明しない。
【０１２２】
前述の実施形態に基づいて、PREAMBLE＿TRANSMISSION＿COUNTER＿CI＿iの値は、［1，．．．，Ni］の範囲内であってよく、Niは、切り替え後に使用されるカバレッジ拡張レベルでの端末によってなされる最大信号送信試行回数である。つまり、端末がカバレッジ拡張レベルを変える場合、PREAMBLE＿TRANSMISSION＿COUNTER＿CI＿iの値は、1に戻り、このことは、各カバレッジ拡張レベルが1から増加することを意味する。
【０１２３】
前述の実施形態に基づいて、代替的に、PREAMBLE＿TRANSMISSION＿COUNTER＿CI＿iの値が、［N’＋1，．．．，N’＋Ni］の範囲内であってよく、N’は、カバレッジ拡張レベルの切り替え前に端末によってなされる最大信号送信試行回数の合計であり、Niは、切り替え後に使用されるカバレッジ拡張レベルでの、端末によってなされる最大信号送信試行回数である。つまり、端末がカバレッジ拡張レベルを変える場合、PREAMBLE＿TRANSMISSION＿COUNTER＿CI＿iの値は、1に戻らず、すべてのカバレッジ拡張レベルの最大試行回数が一緒に増加する。
【０１２４】
前述の実施形態のうちのいずれかに基づいて、本発明の本実施形態では、信号を送信するために端末によってなされる各試行が、信号をN回にわたって繰り返し送信するステップを含み、ここで、Nは、信号を送信するために要し、端末によってその時点で使用されているカバレッジ拡張レベルに対応する繰り返し回数の数である。
【０１２５】
例えば、端末のカバレッジ拡張レベルが、Level＿2であり、Level＿2での信号を送信するために要する繰り返し回数の数が、4であると仮定すると、信号を送信するために端末によってなされる各試行が、信号を4回にわたって繰り返し送信するステップを含む。
【０１２６】
前述の実施形態では、送信電力決定モジュール12が、
設定情報に従って電力補償値が取得できない場合、信号を送信するために端末によって使用される送信電力が、端末の最大送信電力であると決定する
ようにさらに構成される。
【０１２７】
具体的には、電力補償値に関連する情報が、設定情報取得モジュール11によって取得される設定情報において設定されていない。例えば、各カバレッジ拡張レベルに対応する電力補償値が、設定情報において設定されていない。また別の例では、信号を送信するために要し、各カバレッジ拡張レベルに対応する繰り返し回数の数が、設定情報において設定されていない。さらに別の例では、繰り返し回数の数と電力補償値との間の対応が、設定情報において設定されていない。
【０１２８】
好ましいハードウェア構造に関連して、以下、本発明の一実施形態において提供される端末の構造および処理方式を説明する。
【０１２９】
図3を参照すると、端末は、送受信機31と、送受信機31に接続される少なくとも1つのプロセッサ32とを含む。
【０１３０】
プロセッサ32は、各カバレッジ拡張レベルで信号を送信するために使用される送信電力を決定するために使用される設定情報を取得し、  取得した設定情報に従って、端末によってその時点で使用されているカバレッジ拡張レベルで信号を送信するために使用される送信電力を決定するように構成される。
【０１３１】
実施の際、設定情報は、端末とネットワーク側との間で一致させてもよいし、または設定情報が、ネットワーク側で設定され、次いで端末に送信されてもよい。本発明の本実施形態は、設定情報を取得するための方法を限定しない。設定情報がネットワーク側で設定される場合、送受信機31は、ネットワーク側で送信される設定情報を受信するように構成される。
【０１３２】
前述の実施形態のうちのいずれかに基づいて、第1の実施方式では、取得された設定情報が、各カバレッジ拡張レベルで信号を送信するために要する繰り返し回数の数を含む場合、プロセッサ32が、
設定情報に含まれる繰り返し回数の数に従って、端末によってその時点で使用されているカバレッジ拡張レベルで信号を送信するために要する繰り返し回数の数を決定し、決定した繰り返し回数の数に従って、端末によってその時点で使用されているカバレッジ拡張レベルで信号を送信するために使用される送信電力を決定する、
ように特に構成される。
【０１３３】
また、好ましい実施方式では、プロセッサ32は、
繰り返し回数の数と電力補償値との間の対応に従って、端末によってその時点で使用されているカバレッジ拡張レベルで信号を送信するために要する繰り返し回数の数に対応する電力補償値を決定し、決定した電力補償値に従って、端末によってその時点で使用されているカバレッジ拡張レベルで信号を送信するために使用される送信電力を決定する、
ように特に構成される。
【０１３４】
前述の好ましい実施方式以外に、代替的に、プロセッサ32は、以下のステップ：
繰り返し回数の数と送信電力との間の対応に従って、端末によってその時点で使用されているカバレッジ拡張レベルで信号を送信するために要する繰り返し回数の数に対応する送信電力を決定するステップ
に従って、端末によってその時点で使用されているカバレッジ拡張レベルで信号を送信するために使用される送信電力を決定することができる。
【０１３５】
前述の実施形態のうちのいずれかに基づいて、第2の実施方式では、取得された設定情報が、各カバレッジ拡張レベルに対応する電力補償値を含む場合、プロセッサ32が、
設定情報に含まれる電力補償値に従って、端末によってその時点で使用されているカバレッジ拡張レベルに対応する電力補償値を決定し、決定した電力補償値に従って、端末によってその時点で使用されているカバレッジ拡張レベルで信号を送信するために使用される送信電力を決定する、
ように特に構成される。
【０１３６】
好ましくは、前述の実施形態に基づいて、電力補償値GRiの設定中、異なるカバレッジ拡張レベルが、異なる電力補償値GRiに対応し、より高いカバレッジ拡張レベルが、より大きい電力補償値GRiに対応する。確かに、電力補償値GRiの設定中、異なるカバレッジ拡張レベルが、同じ電力補償値GRiに対応することもあるし、あるいは一部のカバレッジ拡張レベルが、同じ電力補償値GRiに対応することもあると同時に、一部のカバレッジ拡張レベルが、異なる電力補償値GRiに対応することもある。
【０１３７】
例として端末のランダムアクセスプロセスを用いることによって（つまり、端末によって送信される信号が、ランダムアクセスプリアンブル系列である）、以下、信号を送信するために端末によって使用される送信電力を決定するためのプロセスを説明する。
【０１３８】
実施の際、プロセッサ32が、決定した電力補償値に従って、かつ以下の式1：
P＝min｛PMAX，PREAMBLE＿RECEIVED＿TARGET＿POWER＿CI＋PL｝．．．式1
に従って、端末によってその時点で使用されているカバレッジ拡張レベルで信号を送信するために使用される送信電力を決定し、
ここで、Pは、端末によって信号を送信する送信電力であり、PMAXは、端末の最大送信電力であり、PREAMBLE＿RECEIVED＿TARGET＿POWER＿CIは、端末によってその時点で使用されているカバレッジ拡張レベルに対応する電力補償値に従って決定される目標受信電力であり、PLは、経路損失である。
【０１３９】
また、プロセッサ32は、以下の式2または式3：
PREAMBLE＿RECEIVED＿TARGET＿POWER＿CI＝preambleInitialReceivedTargetPower＋DELTA＿PREAMBLE−GRi．．．式2、または
PREAMBLE＿RECEIVED＿TARGET＿POWER＿CI＝preambleInitialReceivedTargetPower＋DELTA＿PREAMBLE−GRi＋（PREAMBLE＿TRANSMISSION＿COUNTER＿CI−1）＊powerRampingStep＿CI．．．式3
に従って、目標受信電力PREAMBLE＿RECEIVED＿TARGET＿POWER＿CIを決定する。
【０１４０】
上述の式2および式3において、GRiは、電力補償値であり、preambleInitialReceivedTargetPowerは、初期目標受信電力であり、DELTA＿PREAMBLEは、端末によって送信される信号のフォーマットに対応するオフセットであり、PREAMBLE＿TRANSMISSION＿COUNTER＿CIは、端末によってその時点で使用されているカバレッジ拡張レベルでの信号送信試行回数であり、powerRampingStep＿CIは、端末によってその時点で使用されているカバレッジ拡張レベルでの各信号送信試行における電力上昇幅である。
【０１４１】
具体的には、電力上昇を考慮しない場合、プロセッサ32は、式2を使用して目標受信電力を決定し、電力上昇を考慮する場合、プロセッサ32は、式3を使用して目標受信電力を決定する。
【０１４２】
また、プロセッサ32によって、式2および式3における目標受信電力を決定するステップは、DELTA＿PREAMBLEが0であることを決定するステップを含む。
【０１４３】
前述の実施形態に基づいて、プロセッサ32が、式2および式3における、端末によってその時点で使用されているカバレッジ拡張レベルでの信号送信試行回数を決定し、以下を含む、すなわち：
【０１４４】
（i）設定情報が、各カバレッジ拡張レベルに対応する最大信号送信試行回数を含む場合、設定情報から、端末によってその時点で使用されているカバレッジ拡張レベルでの端末によってなされる最大信号送信試行回数を決定するステップ。
【０１４５】
実施の際、すべてのカバレッジ拡張レベルに対応する最大信号送信試行回数は、同じであってもよいし、異なっていてもよい。好ましくは、すべてのカバレッジ拡張レベルに対応する最大信号送信試行回数が同じである場合、設定情報は、ただ1つの最大試行回数の値を含む必要がある。
【０１４６】
（ii）設定情報が、すべてのカバレッジ拡張レベルに対応する最大信号送信試行回数の合計を含む場合、設定情報に含まれる試行回数の合計に従って、各カバレッジ拡張レベルでの、端末によってなされる最大信号送信試行回数を決定するステップと、端末によってその時点で使用されているカバレッジ拡張レベルに従って、端末によってその時点で使用されているカバレッジ拡張レベルでの最大信号送信試行回数を決定するステップ。
【０１４７】
プロセッサ32は、各カバレッジ拡張レベルでの最大信号送信試行回数を自ら決定してもよいし、ある定められた規則に従って、各カバレッジ拡張レベルでの最大信号送信試行回数を決定してもよい。
【０１４８】
式2および式3におけるPREAMBLE＿TRANSMISSION＿COUNTER＿CI（すなわち、端末によってその時点で使用されているカバレッジ拡張レベルでの信号送信試行回数）は、端末によってその時点で使用されているカバレッジ拡張レベルでの決定された最大信号送信試行回数を超えないことに留意されたい。つまり、PREAMBLE＿TRANSMISSION＿COUNTER＿CIの値は、1から開始され、端末によってその時点で使用されているカバレッジ拡張レベルでの最大信号送信試行回数まで増加できる。
【０１４９】
加えて、本発明は、端末の最大試行回数の使用法を限定するものではない。
【０１５０】
前述の実施形態のうちのいずれかに基づいて、プロセッサ32によって、式2および式3における、端末によってその時点で使用されているカバレッジ拡張レベルでの各信号送信試行における電力上昇幅を決定するステップが含むのは、すなわち：
【０１５１】
（i）設定情報が、各カバレッジ拡張レベルに対応する各信号送信試行における電力上昇幅を含む場合、設定情報から、端末によってその時点で使用されているカバレッジ拡張レベルでの各信号送信試行における電力上昇幅を決定するステップ。
【０１５２】
具体的には、各カバレッジ拡張レベルに対応する各信号送信試行における電力上昇幅は、各カバレッジ拡張レベルに対して、各信号送信試行における第i回目の繰り返しにおいて使用される電力と、前回の信号送信試行における第i回目の繰り返しにおいて使用される電力との間の電力上昇幅を言うものであり、ここで、i＝1，．．．，Nであり、Nは、信号を送信するために要し、各カバレッジ拡張レベルに対応する繰り返し回数の数である。したがって、プロセッサ32は、端末によってその時点で使用されているカバレッジ拡張レベルに対応する任意の信号送信試行において第i回目に信号を繰り返し送信するために使用される電力と、前回の信号送信試行において第i回目に信号を繰り返し送信するために使用される電力との間の電力上昇幅が、端末によってその時点で使用されているカバレッジ拡張レベルでの各信号送信試行における電力上昇幅（powerRampingStep＿CI）であると決定する。
【０１５３】
各カバレッジ拡張レベルに対応する任意の試行において信号が繰り返し送信される任意の2つの回数の間の電力上昇幅は、同じであってもよいし、異なっていてもよい。
【０１５４】
（ii）設定情報が、各カバレッジ拡張レベルに対応する各試行において信号がN回にわたって繰り返し送信された後の電力上昇幅の合計（powerRampingStep＿CI＿total）を含む場合、設定情報から、端末によってその時点で使用されているカバレッジ拡張レベルに対応する各試行において信号がN回にわたって繰り返し送信された後の電力上昇幅の合計を決定するステップと、決定された電力上昇幅の合計に従って、端末によってその時点で使用されているカバレッジ拡張レベルでの各信号送信試行における電力上昇幅を決定するステップ。
【０１５５】
具体的には、各カバレッジ拡張レベルに対応する各試行において信号がN回にわたって繰り返し送信された後の電力上昇幅の合計は、各カバレッジ拡張レベルに対して、各試行において信号がN回にわたって繰り返し送信された後に使用される電力と、前回の試行において信号がN回にわたって繰り返し送信された後に使用される電力との間の電力上昇幅を言うものであり、ここで、Nは、信号を送信するために要し、各カバレッジ拡張レベルに対応する繰り返し回数の数である。
【０１５６】
端末によってその時点で使用されているカバレッジ拡張レベルでの各信号送信試行における決定された電力上昇幅は、端末によってその時点で使用されているカバレッジ拡張レベルでの、各信号送信試行における第i回目の繰り返しにおいて使用される電力と、前回の信号送信試行における第i回目の繰り返しにおいて使用される電力との間の電力上昇幅を言うものであり、ここで、i＝1，．．．，N＊であり、N＊は、信号を送信するために要し、端末によってその時点で使用されているカバレッジ拡張レベルに対応する繰り返し回数の数である。
【０１５７】
プロセッサ32は、各カバレッジ拡張レベルでの各信号送信試行における電力上昇幅を自ら決定してもよいし、ある定められた規則に従って、各カバレッジ拡張レベルでの各信号送信試行における電力上昇幅を決定してもよい。
【０１５８】
前述の実施形態のうちのいずれかに基づいて、端末がその時点で使用されているカバレッジ拡張レベルを切り替えた後、プロセッサ32が、
切り替え前に端末によって使用されるカバレッジ拡張レベルに対応する電力補償値と切り替え後に使用されるカバレッジ拡張レベルに対応する電力補償値とに従って、切り替え後に使用されるカバレッジ拡張レベルで信号を送信するために使用される送信電力を決定する
ようにさらに構成され、ここで、
切り替え後に端末によって使用されるカバレッジ拡張レベルが、切り替え前に端末によって使用されるカバレッジ拡張レベルよりも高い。
【０１５９】
また、プロセッサ32は、
その時点で決定されている送信電力が、端末の最大送信電力である場合に、ネットワーク側が端末によって送信された信号をなんら受信していない（例えば、ランダムアクセスプロセスにおいて、ネットワークアクセスが成功しない）ことが決定されたならば、端末によって使用されるカバレッジ拡張レベルを切り替える
ように特に構成される。
【０１６０】
実施の際、任意の実施方式では、プロセッサ32が、以下の式4：
【数９】
2017507569.tif 000013
に従って、切り替え後に使用されるカバレッジ拡張レベルで信号を送信するために使用される送信電力を決定し、
ここで、Piは、切り替え後に使用されるカバレッジ拡張レベルで信号を送信するために端末によって使用される送信電力であり、Pi−1は、切り替え前に使用されるカバレッジ拡張レベルでの最後の信号送信試行において端末によって使用される送信電力であり、PMAXは、端末の最大送信電力であり、GRiは、切り替え後の端末のカバレッジ拡張レベルに対応する電力補償値であり、GRi−1は、切り替え前の端末のカバレッジ拡張レベルに対応する電力補償値である。
【０１６１】
別の任意の実施方式では、プロセッサ32が、以下の式5：
【数１０】
2017507569.tif 000014
に従って、切り替え後に使用されるカバレッジ拡張レベルで信号を送信するために使用される送信電力を決定し、
ここで、Piは、切り替え後に使用されるカバレッジ拡張レベルで信号を送信するために端末によって使用される送信電力であり、Pi−1は、切り替え前に使用されるカバレッジ拡張レベルでの最後の信号送信試行において端末によって使用される送信電力であり、PMAXは、端末の最大送信電力であり、GRiは、切り替え後の端末のカバレッジ拡張レベルに対応する電力補償値であり、GRi−1は、切り替え前の端末のカバレッジ拡張レベルに対応する電力補償値であり、powerRampingStep＿CI＿iは、切り替え後に使用されるカバレッジ拡張レベルでの各信号送信試行における端末の電力上昇幅である。
【０１６２】
上述の式5におけるpowerRampingStep＿CI＿iを決定するための方法は、式2および式3における端末によってその時点で使用されているカバレッジ拡張レベルでの各信号送信試行における電力上昇幅を決定するための方法と同じであり、細部については本明細書では説明しない。
【０１６３】
また、プロセッサ32は、以下の式6：
P’＝Pi＋（PREAMBLE＿TRANSMISSION＿COUNTER＿CI＿i−1）＊powerRampingStep＿CI＿i．．．式6
に従って、切り替え後に使用されるカバレッジ拡張レベルで信号を送信するために使用される、その時点で決定されている送信電力が端末の最大送信電力に到達するまでの送信電力を決定し、
ここで、P’は、信号を送信するために端末によって決定される現在の送信電力であり、PREAMBLE＿TRANSMISSION＿COUNTER＿CI＿iは、切り替え後に使用されるカバレッジ拡張レベルでの、端末によってなされる最大信号送信試行回数である。
【０１６４】
上述の式6におけるPREAMBLE＿TRANSMISSION＿COUNTER＿CI＿iを決定するための方法は、式2および式3における端末によってその時点で使用されているカバレッジ拡張レベルでの信号送信試行回数を決定するための方法と同じであり、細部については本明細書では説明しない。
【０１６５】
前述の実施形態に基づいて、PREAMBLE＿TRANSMISSION＿COUNTER＿CI＿iの値は、［1，．．．，Ni］の範囲内であってよく、Niは、切り替え後に使用されるカバレッジ拡張レベルでの端末によってなされる最大信号送信試行回数である。つまり、端末がカバレッジ拡張レベルを変える場合、PREAMBLE＿TRANSMISSION＿COUNTER＿CI＿iの値は、1に戻り、このことは、各カバレッジ拡張レベルが1から増加することを意味する。
【０１６６】
前述の実施形態に基づいて、代替的に、PREAMBLE＿TRANSMISSION＿COUNTER＿CI＿iの値が、［N’＋1，．．．，N’＋Ni］の範囲内であってよく、N’は、カバレッジ拡張レベルの切り替え前に端末によってなされる最大信号送信試行回数の合計であり、Niは、切り替え後に使用されるカバレッジ拡張レベルでの、端末によってなされる最大信号送信試行回数である。つまり、端末がカバレッジ拡張レベルを変える場合、PREAMBLE＿TRANSMISSION＿COUNTER＿CI＿iの値は、1に戻らず、すべてのカバレッジ拡張レベルの最大試行回数が一緒に増加する。
【０１６７】
前述の実施形態のうちのいずれかに基づいて、本発明の本実施形態では、信号を送信するために端末によってなされる各試行が、信号をN回にわたって繰り返し送信するステップを含み、ここで、Nは、信号を送信するために要し、端末によってその時点で使用されているカバレッジ拡張レベルに対応する繰り返し回数の数である。
【０１６８】
同じ発明の構想に基づいて、本発明は、ネットワーク側の装置を提供する。図4に示されているように、ネットワーク側の装置は、
各カバレッジ拡張レベルで信号を送信するために使用される送信電力を決定するために使用される設定情報を取得するように構成される、設定モジュール41と、
ネットワーク側の装置によってサービスを受ける端末に設定情報を送信するように構成され、その結果、端末が、設定情報に従って、端末によってその時点で使用されているカバレッジ拡張レベルで信号を送信するために使用される送信電力を決定する、送信モジュール42と、
を含む。
【０１６９】
実施の際、ネットワーク側の装置は、基地局、リレー（Relay）、モビリティ管理エンティティMME（Mobility Management Entity）などであってもよい。
【０１７０】
実施の際、送信モジュール42は、ブロードキャスト方式で、ネットワーク側の装置によってサービスを受ける端末に設定情報を送信してもよい。
【０１７１】
本発明の本実施形態では、設定情報が、以下の情報：
各カバレッジ拡張レベルに対応する電力補償値、
各カバレッジ拡張レベルで信号を送信するために要する繰り返し回数の数、
各カバレッジ拡張レベルでの最大信号送信試行回数、
すべてのカバレッジ拡張レベルでの最大信号送信試行回数の合計、
各カバレッジ拡張レベルに対応する各信号送信試行における電力上昇幅、または、
各カバレッジ拡張レベルに対応する各試行における、信号がN回にわたって繰り返し送信された後の電力上昇幅の合計
のうちの少なくとも1つを含む。
【０１７２】
好ましいハードウェア構造に関連して、以下、本発明の一実施形態において提供されるネットワーク側の装置の構造および処理方式を説明するために、基地局を例として用いる。
【０１７３】
図5を参照すると、基地局は、送受信機51と、送受信機51に接続される少なくとも1つのプロセッサ52とを含む。
【０１７４】
プロセッサ52は、各カバレッジ拡張レベルで信号を送信するために使用される送信電力を決定するために使用される関連する設定情報を設定するように構成される。
【０１７５】
送受信機51は、ネットワーク側の装置によってサービスを受ける端末に設定情報を送信するように構成され、その結果、端末が、設定情報に従って、端末によってその時点で使用されているカバレッジ拡張レベルで信号を送信するために使用される送信電力を決定する。
【０１７６】
実施の際、送受信機51は、ブロードキャスト方式で、ネットワーク側の装置によってサービスを受ける端末に設定情報を送信してもよい。
【０１７７】
本発明の本実施形態では、設定情報が、以下の情報：
各カバレッジ拡張レベルに対応する電力補償値、
各カバレッジ拡張レベルで信号を送信するために要する繰り返し回数の数、
各カバレッジ拡張レベルでの最大信号送信試行回数、
すべてのカバレッジ拡張レベルでの最大信号送信試行回数の合計、
各カバレッジ拡張レベルに対応する各信号送信試行における電力上昇幅、または、
各カバレッジ拡張レベルに対応する各試行における、信号がN回にわたって繰り返し送信された後の電力上昇幅の合計
のうちの少なくとも1つを含む。
【０１７８】
同じ発明の構想に基づいて、本発明の一実施形態は、端末側で、カバレッジ拡張シナリオにおいて送信電力を決定するための方法をさらに提供する。図6を参照すると、本方法は、以下を含む：
【０１７９】
ステップ61：端末が、各カバレッジ拡張レベルで信号を送信するために使用される送信電力を決定するために使用される設定情報を取得する。
【０１８０】
ステップ62：設定情報に従って、端末が、端末によってその時点で使用されているカバレッジ拡張レベルで信号を送信するために使用される送信電力を決定する。
【０１８１】
実施の際、設定情報は、端末とネットワーク側との間で一致させられる、または設定情報が、ネットワーク側で設定され、端末に送信される。
【０１８２】
前述の実施形態のうちのいずれかに基づいて、第1の実施方式では、設定情報が、各カバレッジ拡張レベルで信号を送信するために要する繰り返し回数の数を含む場合、ステップ62における、端末によって、設定情報に従って、端末によってその時点で使用されているカバレッジ拡張レベルで信号を送信するために使用される送信電力を決定するステップが、
端末によって、設定情報に含まれる繰り返し回数の数に従って、端末によってその時点で使用されているカバレッジ拡張レベルで信号を送信するために要する繰り返し回数の数を決定するステップと、
端末によって、決定した繰り返し回数の数に従って、端末によってその時点で使用されているカバレッジ拡張レベルで信号を送信するために使用される送信電力を決定するステップと、
を含む。
【０１８３】
また、好ましい実施方式では、ステップ62における、端末によって、設定情報に従って、端末によってその時点で使用されているカバレッジ拡張レベルで信号を送信するために使用される送信電力を決定するステップは、
端末によって、繰り返し回数の数と電力補償値との間の対応に従って、端末によってその時点で使用されているカバレッジ拡張レベルで信号を送信するために要する繰り返し回数の数に対応する電力補償値を決定するステップと、
端末によって、決定した電力補償値に従って、端末によってその時点で使用されているカバレッジ拡張レベルで信号を送信するために使用される送信電力を決定するステップと、
を含む。
【０１８４】
前述の実施形態のうちのいずれかに基づいて、第2の実施方式では、設定情報が、各カバレッジ拡張レベルに対応する電力補償値を含む場合、ステップ62における、端末によって、設定情報に従って、端末によってその時点で使用されているカバレッジ拡張レベルで信号を送信するために使用される送信電力を決定するステップが、
端末によって、設定情報に含まれる電力補償値に従って、端末によってその時点で使用されているカバレッジ拡張レベルに対応する電力補償値を決定するステップと、
端末によって、決定した電力補償値に従って、端末によってその時点で使用されているカバレッジ拡張レベルで信号を送信するために使用される送信電力を決定するステップと、
を含む。
【０１８５】
前述の実施形態のうちのいずれかに基づいて、端末が、以下の式：
P＝min｛PMAX，PREAMBLE＿RECEIVED＿TARGET＿POWER＿CI＋PL｝．．．式1
に従って、端末によってその時点で使用されているカバレッジ拡張レベルで信号を送信するために使用される送信電力を決定し、
ここで、Pは、端末によって信号を送信する送信電力であり、PMAXは、端末の最大送信電力であり、PREAMBLE＿RECEIVED＿TARGET＿POWER＿CIは、端末によってその時点で使用されているカバレッジ拡張レベルに対応する電力補償値に従って端末によって決定される目標受信電力であり、PLは、経路損失である。
【０１８６】
また、端末は、以下の式：
PREAMBLE＿RECEIVED＿TARGET＿POWER＿CI＝preambleInitialReceivedTargetPower＋DELTA＿PREAMBLE−GRi．．．式2、または、
PREAMBLE＿RECEIVED＿TARGET＿POWER＿CI＝preambleInitialReceivedTargetPower＋DELTA＿PREAMBLE−GRi＋（PREAMBLE＿TRANSMISSION＿COUNTER＿CI−1）＊powerRampingStep＿CI．．．式3
に従って目標受信電力を決定し、
ここで、GRiは、電力補償値であり、preambleInitialReceivedTargetPowerは、初期目標受信電力であり、DELTA＿PREAMBLEは、端末によって送信される信号のフォーマットに対応するオフセットであり、PREAMBLE＿TRANSMISSION＿COUNTER＿CIは、端末によってその時点で使用されているカバレッジ拡張レベルでの信号送信試行回数であり、powerRampingStep＿CIは、端末によってその時点で使用されているカバレッジ拡張レベルでの各信号送信試行における電力上昇幅である。
【０１８７】
前述の実施形態のうちのいずれかに基づいて、端末によって、目標受信電力を決定するステップが、
DELTA＿PREAMBLEが0であることを端末によって決定するステップ
を含む。
【０１８８】
前述の実施形態のうちのいずれかに基づいて、端末によって、端末によってその時点で使用されているカバレッジ拡張レベルでの信号送信試行回数を決定するステップが、
設定情報が、各カバレッジ拡張レベルに対応する最大信号送信試行回数を含む場合、端末によって、設定情報から、端末によってその時点で使用されているカバレッジ拡張レベルでの最大信号送信試行回数を決定するステップ、または、
設定情報が、すべてのカバレッジ拡張レベルに対応する最大信号送信試行回数の合計を含む場合、端末によって、設定情報に含まれる試行回数の合計に従って端末の各カバレッジ拡張レベルでの最大信号送信試行回数を決定するステップと、端末によってその時点で使用されているカバレッジ拡張レベルに従って、端末によってその時点で使用されているカバレッジ拡張レベルでの最大信号送信試行回数を決定するステップと、
を含む。
【０１８９】
式2および式3におけるPREAMBLE＿TRANSMISSION＿COUNTER＿CI（すなわち、端末によってその時点で使用されているカバレッジ拡張レベルでの信号送信試行回数）は、端末によってその時点で使用されているカバレッジ拡張レベルでの決定された最大信号送信試行回数を超えないことに留意されたい。つまり、PREAMBLE＿TRANSMISSION＿COUNTER＿CIの値は、1から開始され、端末によってその時点で使用されているカバレッジ拡張レベルでの最大信号送信試行回数まで増加できる。
【０１９０】
加えて、本発明は、端末の最大試行回数の使用法を限定するものではない。
【０１９１】
前述の実施形態のうちのいずれかに基づいて、端末によって、端末によってその時点で使用されているカバレッジ拡張レベルでの各信号送信試行における電力上昇幅を決定するステップが、
設定情報が、各カバレッジ拡張レベルに対応する各信号送信試行における電力上昇幅を含む場合、端末によって、設定情報から、端末によってその時点で使用されているカバレッジ拡張レベルでの各信号送信試行における電力上昇幅を決定するステップ、または、
設定情報が、各カバレッジ拡張レベルに対応する各試行において信号がN回にわたって繰り返し送信された後の電力上昇幅の合計を含む場合、端末によって、設定情報に含まれる電力上昇幅の合計に従って、設定情報から、端末によってその時点で使用されているカバレッジ拡張レベルに対応する各試行において信号がN回にわたって繰り返し送信された後の電力上昇幅の合計を決定するステップと、決定した電力上昇幅の合計に従って、端末によってその時点で使用されているカバレッジ拡張レベルでの各信号送信試行における電力上昇幅を決定するステップと、
を含む。
【０１９２】
前述の実施形態のうちのいずれかに基づいて、端末がその時点で使用されているカバレッジ拡張レベルを切り替えた後、本方法が、
端末によって、切り替え前に使用されるカバレッジ拡張レベルに対応する電力補償値と切り替え後に使用されるカバレッジ拡張レベルに対応する電力補償値とに従って、切り替え後に使用されるカバレッジ拡張レベルで信号を送信するために使用される送信電力を決定するステップ
をさらに含み、ここで、
切り替え後に端末によって使用されるカバレッジ拡張レベルが、切り替え前に端末によって使用されるカバレッジ拡張レベルよりも高い。
【０１９３】
また、端末は、以下のステップ：
その時点で決定されている送信電力が、端末の最大送信電力である場合に、ネットワーク側が端末によって送信された信号をなんら受信していないと端末が決定したならば、端末によって使用されるカバレッジ拡張レベルを端末によって切り替えるステップ
に従って使用されるカバレッジ拡張レベルを切り替える。
【０１９４】
実施の際、任意の実施方式では、端末が、以下の式：
【数１１】
2017507569.tif 000015
に従って、切り替え後に使用されるカバレッジ拡張レベルで信号を送信するために使用される送信電力を決定し、
ここで、Piは、切り替え後に使用されるカバレッジ拡張レベルで信号を送信するために端末によって使用される送信電力であり、Pi−1は、切り替え前に使用されるカバレッジ拡張レベルでの最後の信号送信試行において端末によって使用される送信電力であり、PMAXは、端末の最大送信電力であり、GRiは、切り替え後の端末のカバレッジ拡張レベルに対応する電力補償値であり、GRi−1は、切り替え前の端末のカバレッジ拡張レベルに対応する電力補償値である。
【０１９５】
別の任意の実施方式では、端末が、以下の式：
【数１２】
2017507569.tif 000016
に従って、切り替え後に使用されるカバレッジ拡張レベルで信号を送信するために使用される送信電力を決定し、
ここで、Piは、切り替え後に使用されるカバレッジ拡張レベルで信号を送信するために端末によって使用される送信電力であり、Pi−1は、切り替え前に使用されるカバレッジ拡張レベルでの最後の信号送信試行において端末によって使用される送信電力であり、PMAXは、端末の最大送信電力であり、GRiは、切り替え後の端末のカバレッジ拡張レベルに対応する電力補償値であり、GRi−1は、切り替え前の端末のカバレッジ拡張レベルに対応する電力補償値であり、powerRampingStep＿CI＿iは、切り替え後に使用されるカバレッジ拡張レベルでの各信号送信試行における端末の電力上昇幅である。
【０１９６】
上述の式5におけるpowerRampingStep＿CI＿iを決定するための方法は、式2および式3における、信号を送信するために端末によってなされる各試行における電力上昇幅を決定するための方法と同じであり、細部については本明細書では説明しない。
【０１９７】
また、好ましくは、端末は、以下の式：
P’＝Pi＋（PREAMBLE＿TRANSMISSION＿COUNTER＿CI＿i−1）＊powerRampingStep＿CI＿i．．．式6
に従って、切り替え後に使用されるカバレッジ拡張レベルで信号を送信するために使用される、その時点で決定されている送信電力が端末の最大送信電力に到達するまでの送信電力を決定し、
ここで、P’は、信号を送信するために端末によって決定される現在の送信電力であり、PREAMBLE＿TRANSMISSION＿COUNTER＿CI＿iは、切り替え後に使用されるカバレッジ拡張レベルでの、端末によってなされる最大信号送信試行回数である。
【０１９８】
上述の式6におけるPREAMBLE＿TRANSMISSION＿COUNTER＿CI＿iを決定するための方法は、式2および式3における、信号を送信するために端末によってなされる試行回数を決定するための方法と同じであり、細部については本明細書では説明しない。
【０１９９】
実施の際、PREAMBLE＿TRANSMISSION＿COUNTER＿CI＿iの値は、［1，．．．，Ni］の中に収まり、Niは、切り替え後に使用されるカバレッジ拡張レベルでの、端末によってなされる最大信号送信試行回数である、または、
PREAMBLE＿TRANSMISSION＿COUNTER＿CI＿iの値は、［N’＋1，．．．，N’＋Ni］の範囲内にあり、N’が、カバレッジ拡張レベルの切り替え前に端末によってなされる最大信号送信試行回数の合計であり、Niは、切り替え後に使用されるカバレッジ拡張レベルでの、端末によってなされる最大信号送信試行回数である。
【０２００】
前述の実施形態のうちのいずれかに基づいて、端末によって、設定情報に従って、端末によってその時点で使用されているカバレッジ拡張レベルで信号を送信するために使用される送信電力を決定するステップが、
設定情報に従って電力補償値が取得できない場合、信号を送信するために端末によって使用される送信電力が、端末の最大送信電力であると端末によって決定するステップ
を含む。
【０２０１】
同じ発明の構想に基づいて、本発明の一実施形態は、カバレッジ拡張シナリオにおいて送信電力を決定するための別の方法をさらに提供する。図7を参照すると、本方法は、以下を含む：
【０２０２】
ステップ71：ネットワーク側は、各カバレッジ拡張レベルで信号を送信するために使用される送信電力を決定するために使用される設定情報を設定する。
【０２０３】
ステップ72：ネットワーク側は、ネットワーク側によってサービスを受ける端末に設定情報を送信し、その結果、端末が、設定情報に従って、端末によってその時点で使用されているカバレッジ拡張レベルで信号を送信するために使用される送信電力を決定する。
【０２０４】
本発明の本実施形態では、設定情報が、以下の情報：
各カバレッジ拡張レベルに対応する電力補償値、
各カバレッジ拡張レベルで信号を送信するために要する繰り返し回数の数、
各カバレッジ拡張レベルでの最大信号送信試行回数、
すべてのカバレッジ拡張レベルでの最大信号送信試行回数の合計、
各カバレッジ拡張レベルに対応する各信号送信試行における電力上昇幅、または、
各カバレッジ拡張レベルに対応する任意の試行における信号がN回にわたって繰り返し送信された後の電力上昇幅の合計
のうちの少なくとも1つを含む。
【０２０５】
当業者であれば、本発明の実施形態が、方法、システム、またはコンピュータプログラム製品として提供され得ることを理解するはずである。したがって、本発明は、ハードウェアのみの実施形態、ソフトウェアのみの実施形態、またはソフトウェアとハードウェアとの組み合わせによる実施形態の形態を使用できる。さらに、本発明は、コンピュータ使用可能プログラムコードを含む1つ以上のコンピュータ使用可能記憶媒体（限定されるものではないが、ディスクメモリ、CD−ROM、光学メモリなどを含む）上に実装されるコンピュータプログラム製品の形態を使用できる。
【０２０６】
本発明の実施形態による方法、装置（システム）、およびコンピュータプログラム製品の流れ図および／またはブロック図を参照して、本発明を説明した。コンピュータプログラム命令が、流れ図および／またはブロック図における各プロセスおよび／または各ブロック、ならびに流れ図および／またはブロック図におけるプロセスおよび／またはブロックの組み合わせを実装するために使用され得ることを理解すべきである。これらのコンピュータプログラム命令は、機械を生み出すために、汎用コンピュータ、専用コンピュータ、組み込みプロセッサ、または任意の他のプログラマブルデータ処理装置のプロセッサのために提供され、その結果、コンピュータまたは任意の他のプログラマブルデータ処理装置のプロセッサによって実行される命令が、流れ図における1つ以上のプロセスおよび／またはブロック図における1つ以上のブロックにおける特定の機能を実装するための装置を生み出すのであってもよい。
【０２０７】
これらのコンピュータプログラム命令は、コンピュータまたは任意の他のプログラマブルデータ処理装置に対して特定の方式で働くように命令できるコンピュータ可読メモリに格納され、その結果、コンピュータ可読メモリに格納された命令が、命令装置を含む人工物を生み出すのであってもよい。命令装置は、流れ図における1つ以上のプロセスにおける、および／またはブロック図における1つ以上のブロックにおける、特定の機能を実装する。
【０２０８】
これらのコンピュータプログラム命令は、コンピュータまたは別のプログラマブルデータ処理装置上に読み込まれ、その結果、一連の動作およびステップがコンピュータまたは別のプログラマブルデータ処理装置上で行われ、それによって、コンピュータに実装された処理を生み出すのであってもよい。したがって、コンピュータまたは別のプログラマブルデータ処理装置上で実行される命令は、流れ図における1つ以上のプロセスにおける、および／またはブロック図における1つ以上のブロックにおける、特定の機能を実装するためのステップを提供する。
【０２０９】
本発明の一部の好ましい実施形態を説明してきたが、本発明の基本的な構想を一度習得すれば、当業者であれば、これらの実施形態に変更および修正をなし得る。したがって、以下の特許請求の範囲は、本発明の範囲に含まれる好ましい実施形態およびすべての変更および修正を包含するように解釈されるものとして意図されている。
【０２１０】
当然のことながら、当業者であれば、本発明の趣旨および範囲から逸脱することなしに、本発明に対して様々な修正および変形をなし得る。本発明は、以下の特許請求の範囲およびそれらの均等技術によって定義される保護範囲内に含まれる場合に限り、これらの修正および変形を包含するように意図されている。
【符号の説明】
【０２１１】
11  設定情報取得モジュール
12  送信電力決定モジュール
31  送受信機
32  プロセッサ
41  設定モジュール
42  送信モジュール
51  送受信機
52  プロセッサ
【図１】
2017507569.tif 000021
【図２】
2017507569.tif 000022
【図３】
2017507569.tif 000023
【図４】
2017507569.tif 000024
【図５】
2017507569.tif 000025
【図６】
2017507569.tif 000026
【図７】
2017507569.tif 000027
【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
端末であって、前記端末が、
各カバレッジ拡張レベルで信号を送信するために使用される送信電力を決定するために使用される設定情報を取得するように構成される、設定情報取得モジュールと、
前記設定情報に従って、前記端末によってその時点で使用されているカバレッジ拡張レベルで前記信号を送信するために使用される送信電力を決定するように構成される、送信電力決定モジュールと、
を備える、端末。
【請求項２】
前記設定情報が、各カバレッジ拡張レベルで前記信号を送信するために要する繰り返し回数の数を含む場合、前記送信電力決定モジュールが、
前記設定情報に含まれる前記繰り返し回数の数に従って、前記端末によってその時点で使用されている前記カバレッジ拡張レベルで前記信号を送信するために要する繰り返し回数の数を決定し、前記決定した繰り返し回数の数に従って、前記端末によってその時点で使用されている前記カバレッジ拡張レベルで前記信号を送信するために使用される前記送信電力を決定する、
ように特に構成される、請求項1に記載の端末。
【請求項３】
前記送信電力決定モジュールが、
繰り返し回数の数と電力補償値との間の対応に従って、前記端末によってその時点で使用されている前記カバレッジ拡張レベルで前記信号を送信するために要する前記繰り返し回数の数に対応する電力補償値を決定し、前記決定した電力補償値に従って、前記端末によってその時点で使用されている前記カバレッジ拡張レベルで前記信号を送信するために使用される前記送信電力を決定する、
ように特に構成される、請求項2に記載の端末。
【請求項４】
前記送信電力決定モジュールが、以下の式：
P＝min｛PMAX，PREAMBLE＿RECEIVED＿TARGET＿POWER＿CI＋PL｝
に従って、前記端末によってその時点で使用されている前記カバレッジ拡張レベルで前記信号を送信するために使用される前記送信電力を決定し、
Pが、前記端末によって前記信号を送信する前記送信電力であり、PMAXが、前記端末の最大送信電力であり、PREAMBLE＿RECEIVED＿TARGET＿POWER＿CIが、前記端末によってその時点で使用されている前記カバレッジ拡張レベルに対応する電力補償値に従って決定される目標受信電力であり、PLが、経路損失である、
請求項1から3のいずれか一項に記載の端末。
【請求項５】
前記送信電力決定モジュールが、以下の式：
PREAMBLE＿RECEIVED＿TARGET＿POWER＿CI＝preambleInitialReceivedTargetPower＋DELTA＿PREAMBLE−GRi、
または、
PREAMBLE＿RECEIVED＿TARGET＿POWER＿CI＝preambleInitialReceivedTargetPower＋DELTA＿PREAMBLE−GRi＋（PREAMBLE＿TRANSMISSION＿COUNTER＿CI−1）＊powerRampingStep＿CI
に従って前記目標受信電力を決定し、
GRiが、前記電力補償値であり、preambleInitialReceivedTargetPowerが、初期目標受信電力であり、DELTA＿PREAMBLEが、前記端末によって送信される前記信号のフォーマットに対応するオフセットであり、PREAMBLE＿TRANSMISSION＿COUNTER＿CIが、前記端末によってその時点で使用されている前記カバレッジ拡張レベルでの信号送信試行回数であり、powerRampingStep＿CIが、前記端末によってその時点で使用されている前記カバレッジ拡張レベルでの各信号送信試行における電力上昇幅である、
請求項4に記載の端末。
【請求項６】
前記送信電力決定モジュールが、
前記設定情報が、各カバレッジ拡張レベルに対応する最大信号送信試行回数を含む場合、前記設定情報から、前記端末によってその時点で使用されている前記カバレッジ拡張レベルでの最大信号送信試行回数を決定する、または、
前記設定情報が、すべての前記カバレッジ拡張レベルに対応する最大信号送信試行回数の合計を含む場合、前記設定情報に含まれる試行回数の前記合計に従って各カバレッジ拡張レベルでの最大信号送信試行回数を決定し、前記端末によってその時点で使用されている前記カバレッジ拡張レベルに従って、前記端末によってその時点で使用されている前記カバレッジ拡張レベルでの最大信号送信試行回数を決定する、
ように特に構成される、請求項1から5のいずれか一項に記載の端末。
【請求項７】
前記送信電力決定モジュールが、
前記設定情報に従って電力補償値が取得できない場合、前記信号を送信するために前記端末によって使用される前記送信電力が、前記端末の最大送信電力であると決定する
ようにさらに構成される、請求項3から6のいずれか一項に記載の端末。
【請求項８】
ネットワーク側の装置であって、前記ネットワーク側の装置が、
各カバレッジ拡張レベルで信号を送信するために使用される送信電力を決定するために使用される設定情報を設定するように構成される、設定モジュールと、
前記ネットワーク側の装置によってサービスを受ける端末に前記設定情報を送信するように構成され、その結果、前記端末が、前記設定情報に従って、前記端末によってその時点で使用されているカバレッジ拡張レベルで前記信号を送信するために使用される送信電力を決定する、送信モジュールと、
を備える、ネットワーク側の装置。
【請求項９】
前記設定情報が、以下の情報：
各カバレッジ拡張レベルに対応する電力補償値、
各カバレッジ拡張レベルで前記信号を送信するために要する繰り返し回数の数、
各カバレッジ拡張レベルでの最大信号送信試行回数、
すべての前記カバレッジ拡張レベルでの最大信号送信試行回数の合計、
各カバレッジ拡張レベルに対応する各信号送信試行における電力上昇幅、または、
各カバレッジ拡張レベルに対応する各試行における、前記信号がN回にわたって繰り返し送信された後の電力上昇幅の合計
のうちの少なくとも1つを含む、請求項8に記載のネットワーク側の装置。
【請求項１０】
カバレッジ拡張シナリオにおいて送信電力を決定するための方法であって、前記方法が、
端末によって、各カバレッジ拡張レベルで信号を送信するために使用される送信電力を決定するために使用される設定情報を取得するステップと、
前記端末によって、前記設定情報に従って、前記端末によってその時点で使用されているカバレッジ拡張レベルで前記信号を送信するために使用される送信電力を決定するステップと、
を含む、方法。
【請求項１１】
前記設定情報が、各カバレッジ拡張レベルで前記信号を送信するために要する繰り返し回数の数を含む場合、前記端末によって、前記設定情報に従って、前記端末によってその時点で使用されているカバレッジ拡張レベルで前記信号を送信するために使用される送信電力を前記決定するステップが、
前記端末によって、前記設定情報に含まれる前記繰り返し回数の数に従って、前記端末によってその時点で使用されている前記カバレッジ拡張レベルで前記信号を送信するために要する繰り返し回数の数を決定するステップと、
前記端末によって、前記決定した繰り返し回数の数に従って、前記端末によってその時点で使用されている前記カバレッジ拡張レベルで前記信号を送信するために使用される前記送信電力を決定するステップと、
を含む、請求項10に記載の方法。
【請求項１２】
前記端末によって、前記設定情報に従って、前記端末によってその時点で使用されているカバレッジ拡張レベルで前記信号を送信するために使用される送信電力を前記決定するステップが、
前記端末によって、繰り返し回数の数と電力補償値との間の対応に従って、前記端末によってその時点で使用されている前記カバレッジ拡張レベルで前記信号を送信するために要する前記繰り返し回数の数に対応する電力補償値を決定するステップと、
前記端末によって、前記決定した電力補償値に従って、前記端末によってその時点で使用されている前記カバレッジ拡張レベルで前記信号を送信するために使用される前記送信電力を決定するステップと、
を含む、請求項11に記載の方法。
【請求項１３】
前記端末が、以下の式：
P＝min｛PMAX，PREAMBLE＿RECEIVED＿TARGET＿POWER＿CI＋PL｝
に従って、前記端末によってその時点で使用されている前記カバレッジ拡張レベルで前記信号を送信するために使用される前記送信電力を決定し、
Pが、前記端末によって前記信号を送信する前記送信電力であり、PMAXが、前記端末の最大送信電力であり、PREAMBLE＿RECEIVED＿TARGET＿POWER＿CIが、前記端末によってその時点で使用されている前記カバレッジ拡張レベルに対応する電力補償値に従って前記端末によって決定される目標受信電力であり、PLが、経路損失である、
請求項10から12のいずれか一項に記載の方法。
【請求項１４】
前記端末が、以下の式：
PREAMBLE＿RECEIVED＿TARGET＿POWER＿CI＝preambleInitialReceivedTargetPower＋DELTA＿PREAMBLE−GRi、または、
PREAMBLE＿RECEIVED＿TARGET＿POWER＿CI＝preambleInitialReceivedTargetPower＋DELTA＿PREAMBLE−GRi＋（PREAMBLE＿TRANSMISSION＿COUNTER＿CI−1）＊powerRampingStep＿CI
に従って前記目標受信電力を決定し、
GRiが、前記電力補償値であり、preambleInitialReceivedTargetPowerが、初期目標受信電力であり、DELTA＿PREAMBLEが、前記端末によって送信される前記信号のフォーマットに対応するオフセットであり、PREAMBLE＿TRANSMISSION＿COUNTER＿CIが、前記端末によってその時点で使用されている前記カバレッジ拡張レベルでの、前記端末によってなされる信号送信試行回数であり、powerRampingStep＿CIが、前記端末によってその時点で使用されている前記カバレッジ拡張レベルでの各信号送信試行における前記端末の電力上昇幅である、
請求項13に記載の方法。
【請求項１５】
前記端末によって、前記端末によってその時点で使用されている前記カバレッジ拡張レベルでの信号送信試行回数を前記決定するステップが、
前記設定情報が、各カバレッジ拡張レベルに対応する最大信号送信試行回数を含む場合、前記端末によって、前記設定情報から、前記端末によってその時点で使用されている前記カバレッジ拡張レベルでの最大信号送信試行回数を決定するステップ、または、
前記設定情報が、すべての前記カバレッジ拡張レベルに対応する最大信号送信試行回数の合計を含む場合、前記端末によって、前記設定情報に含まれる前記試行回数の合計に従って前記端末の各カバレッジ拡張レベルでの最大信号送信試行回数を決定するステップと、前記端末によってその時点で使用されている前記カバレッジ拡張レベルに従って、前記端末によってその時点で使用されている前記カバレッジ拡張レベルでの最大信号送信試行回数を決定するステップと、
を含む、請求項10から14のいずれか一項に記載の方法。
【請求項１６】
前記端末によって、前記設定情報に従って、前記端末によってその時点で使用されているカバレッジ拡張レベルで前記信号を送信するために使用される送信電力を前記決定するステップが、
前記設定情報に従って電力補償値が取得できない場合、前記信号を送信するために前記端末によって使用される前記送信電力が、前記端末の最大送信電力であると前記端末によって決定するステップ
を含む、請求項12から15のいずれか一項に記載の方法。
【請求項１７】
カバレッジ拡張シナリオにおける送信電力を決定するための方法であって、前記方法が、
ネットワーク側で、各カバレッジ拡張レベルで信号を送信するために使用される送信電力を決定するために使用される設定情報を設定するステップと、
前記ネットワーク側で、前記ネットワーク側によってサービスを受ける端末に前記設定情報を送信し、その結果、前記端末が、前記設定情報に従って、前記端末によってその時点で使用されているカバレッジ拡張レベルで前記信号を送信するために使用される送信電力を決定する、ステップと、
を含む、方法。
【請求項１８】
前記設定情報が、以下の情報：
各カバレッジ拡張レベルに対応する電力補償値、
各カバレッジ拡張レベルで前記信号を送信するために要する繰り返し回数の数、
各カバレッジ拡張レベルでの最大信号送信試行回数、
すべての前記カバレッジ拡張レベルでの最大信号送信試行回数の合計、
各カバレッジ拡張レベルに対応する各信号送信試行における電力上昇幅、または、
各カバレッジ拡張レベルに対応する各試行における、前記信号がN回にわたって繰り返し送信された後の電力上昇幅の合計
のうちの少なくとも1つを含む、請求項17に記載の方法。
【国際調査報告】
2017507569.tif 000028
2017507569.tif 000029
2017507569.tif 000030
2017507569.tif 000031